(57)【要約】  本願発明の複数の実施形態は、アップリンク電力制御方法及び装置を提供する。本願発明のアップリンク電力制御方法は、第１アクセス数及び第２アクセス数に従って、基地局によって、セルレベルアップリンク電力パラメータを調整するか否かを決定する段階であって、第１アクセス数は、基地局のセルのサービスエリア内の複数のユーザ機器ＵＥがランダムアクセスプリアンブルを１回送信することによってセルにアクセスする回数であり、第２アクセス数は、セルのサービスエリア内の複数のＵＥがランダムアクセスプリアンブルを少なくとも２回送信することによってセルにアクセスする回数である、決定する段階と、セルレベルアップリンク電力パラメータを調整すると決定した場合に、基地局によって、セルレベルアップリンク電力パラメータを調整して、調整済みセルレベルアップリンク電力パラメータをセルのサービスエリア内のＵＥに送信する段階であって、これにより、セルのサービスエリア内のＵＥは、調整済みセルレベルアップリンク電力パラメータに従ってアップリンク信号を送信する、送信する段階とを備える。本願発明の複数の実施形態は、測定リソースを節約する。
2016538764.tif 000002
【特許請求の範囲】
【請求項１】
アップリンク電力制御方法であって、
第１アクセス数及び第２アクセス数に従って、基地局によって、セルレベルアップリンク電力パラメータを調整するか否かを決定する段階であって、
前記第１アクセス数は、前記基地局のセルのサービスエリア内の複数のユーザ機器ＵＥがランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数である、決定する段階と、
前記セルレベルアップリンク電力パラメータを調整すると決定した場合に、前記基地局によって、前記セルレベルアップリンク電力パラメータを調整して、調整済みセルレベルアップリンク電力パラメータを前記セルの前記サービスエリア内のＵＥに送信する段階であって、これにより、前記セルの前記サービスエリア内の前記ＵＥは、前記調整済みセルレベルアップリンク電力パラメータに従ってアップリンク信号を送信する、送信する段階とを、
備える、
方法。
【請求項２】
第１アクセス数及び第２アクセス数に従って、基地局によって、セルレベルアップリンク電力パラメータを調整するか否かを決定する前記段階は、
前記第１アクセス数と前記第２アクセス数との比に従って、前記基地局によって、前記セルレベルアップリンク電力パラメータを調整するか否かを決定する段階を有する、
請求項１に記載の方法。
【請求項３】
前記第１アクセス数と前記第２アクセス数との比に従って、前記基地局によって、前記セルレベルアップリンク電力パラメータを調整するか否かを決定する前記段階は、
前記基地局によって、前記第１アクセス数（ａ）及び前記第２アクセス数（ｂ）に従って、ｘ＝ａ／（ａ＋ｂ）である前記比（ｘ）を計算する段階と、
前記比（ｘ）が予め設定された第１閾値より大きい又はこれと等しい場合に、前記基地局によって前記セルレベルアップリンク電力パラメータを調整すると決定する段階とを
有し、
前記基地局によって前記セルレベルアップリンク電力パラメータを調整する前記段階は、
前記基地局によって前記セルレベルアップリンク電力パラメータの値を減少させる段階を有する、
請求項２に記載の方法。
【請求項４】
前記基地局によって前記セルレベルアップリンク電力パラメータの値を減少させる前記段階は、
前記基地局によって、前記セルレベルアップリンク電力パラメータの前記値を予め設定された第１調整ステップずつ減少させる段階を有する、
請求項３に記載の方法。
【請求項５】
前記第１アクセス数と前記第２アクセス数との比に従って、前記基地局によって、前記セルレベルアップリンク電力パラメータを調整するか否かを決定する前記段階は、
前記基地局によって、前記第１アクセス数（ａ）及び前記第２アクセス数（ｂ）に従って、ｙ＝ｂ／（ａ＋ｂ）である前記比（ｙ）を計算する段階と、
前記比（ｙ）が予め設定された第２閾値より大きい又はこれと等しい場合に、前記基地局によって前記セルレベルアップリンク電力パラメータを調整すると決定する段階とを、
有し、
前記基地局によって前記セルレベルアップリンク電力パラメータを調整する前記段階は、
前記基地局によって前記セルレベルアップリンク電力パラメータの値を増加させる段階を有する、
請求項２に記載の方法。
【請求項６】
前記基地局によって、前記セルレベルアップリンク電力パラメータの値を増加させる前記段階は、
前記基地局によって、前記セルレベルアップリンク電力パラメータの前記値を予め設定された第２調整ステップずつ増加させる段階を有する、
請求項５に記載の方法。
【請求項７】
アップリンク電力制御方法であって、
基地局によって送信されたセルレベルアップリンク電力パラメータをユーザ機器ＵＥによって受信する段階と、
前記ＵＥによって、受信された調整済みセルレベルアップリンク電力パラメータの値に従って、アップリンク信号を送信する段階とを、
備え、
前記セルレベルアップリンク電力パラメータは、前記基地局がセルレベルアップリンク電力パラメータを調整すると決定した場合に、セルのサービスエリア内の前記ＵＥに送信される前記調整済みセルレベルアップリンク電力パラメータであり、
前記基地局は、第１アクセス数及び第２アクセス数に従って、前記セルレベルアップリンク電力パラメータを調整するか否かを決定し、
前記第１アクセス数は、前記セルの前記サービスエリア内の複数のＵＥがランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数である、
方法。
【請求項８】
前記ＵＥによって、受信された前記調整済みセルレベルアップリンク電力パラメータの値に従って、アップリンク信号を送信する前記段階は、
前記ＵＥによって、受信された前記調整済みセルレベルアップリンク電力パラメータの前記値を、前記アップリンク信号を送信するための電力として用いて、前記アップリンク信号を前記電力で送信する段階を有する、
請求項７に記載の方法。
【請求項９】
アップリンク電力制御方法であって、
第１電力と、ユーザ機器ＵＥがセルにアクセスする前にランダムアクセスプリアンブルを送信する合計回数とに従って、基地局によって、ＵＥレベルアップリンク電力パラメータを調整するか否かを決定する段階であって、前記第１電力は、前記ＵＥが前記基地局の前記セルにアクセスする前に初回のランダムアクセスプリアンブルを送信する際の電力である、決定する段階と、
前記ＵＥレベルアップリンク電力パラメータを調整すると決定した場合、前記基地局によって、前記ＵＥレベルアップリンク電力パラメータを調整して、調整済みＵＥレベルアップリンク電力パラメータを前記ＵＥに送信する段階であって、これにより、前記ＵＥは前記調整済みＵＥレベルアップリンク電力パラメータに従ってアップリンク信号を送信する、送信する段階とを、
備える方法。
【請求項１０】
第１電力と、ユーザ機器ＵＥがセルにアクセスする前にランダムアクセスプリアンブルを送信する合計回数とに従って、基地局によって、ＵＥレベルアップリンク電力パラメータを調整するか否かを決定する前記段階は、
前記基地局によって、前記第１電力（Ｐ０）と、前記ＵＥが前記セルにアクセスする前に前記ランダムアクセスプリアンブルを送信する前記合計回数（ｎ）とに従って、第２電力（Ｐ１）を計算する段階と、
前記第２電力（Ｐ１）に従って前記基地局によって、前記ＵＥレベルアップリンク電力パラメータを調整するか否かを決定する段階とを、
有し、
Ｐ１＝Ｐ０＋（ｎ−１）×Ｓであり、Ｓは予め設定された調整ステップであり、前記第２電力（Ｐ１）は前記ＵＥが前記セルにアクセスする前に最後のランダムアクセスプリアンブルを送信する際の電力である、
請求項９に記載の方法。
【請求項１１】
前記第２電力（Ｐ１）に従って、前記基地局によって、前記ＵＥレベルアップリンク電力パラメータを調整するか否かを決定する前記段階は、
前記第２電力（Ｐ１）がセルレベルアップリンク電力パラメータＰｃｅｌｌと等しくない場合に、前記基地局によって前記ＵＥレベルアップリンク電力パラメータを調整すると決定する段階を有し、
前記基地局によって、前記ＵＥレベルアップリンク電力パラメータを調整する前記段階は、
前記基地局によって前記ＵＥレベルアップリンク電力パラメータの値ＰｕｅをＰｕｅ'に調整する段階を有し、Ｐｕｅ'＝Ｐ１−Ｐｃｅｌｌである、
請求項１０に記載の方法。
【請求項１２】
アップリンク電力制御方法であって、
ユーザ機器ＵＥによって基地局により送信された、ＵＥレベルアップリンク電力パラメータを受信する段階と、
前記ＵＥによって、受信された調整済みＵＥレベルアップリンク電力パラメータの値に従って、アップリンク信号を送信する段階とを、
備え、
前記ＵＥレベルアップリンク電力パラメータは、前記基地局がＵＥレベルアップリンク電力パラメータを調整すると決定した場合に、前記ＵＥに送信される前記調整済みＵＥレベルアップリンク電力パラメータであり、
第１電力と、前記ＵＥが前記基地局のセルにアクセスする前にランダムアクセスプリアンブルを送信する合計回数とに従って、前記基地局は前記ＵＥレベル電力パラメータを調整するか否かを決定し、
前記第１電力は、前記ＵＥが前記セルにアクセスする前に初回のランダムアクセスプリアンブルを送信する際の電力である、
方法。
【請求項１３】
前記ＵＥによって、受信された前記調整済みＵＥレベルアップリンク電力パラメータの値に従って、アップリンク信号を送信する前記段階は、
前記ＵＥによって、受信された前記調整済みＵＥレベルアップリンク電力パラメータの前記値と、受信されたセルレベルアップリンク電力パラメータの値との合計を、前記アップリンク信号を送信するための電力として用いて前記アップリンク信号を前記電力で送信する段階を有する、
請求項１２に記載の方法。
【請求項１４】
アップリンク電力制御装置であって、
第１アクセス数及び第２アクセス数に従って、セルレベルアップリンク電力パラメータが調整されるべきか否かを決定するよう構成された電力パラメータ調整決定モジュールであって、前記第１アクセス数は、前記基地局のセルのサービスエリア内の複数のユーザ機器ＵＥがランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数である、電力パラメータ調整決定モジュールと、
前記セルレベルアップリンク電力パラメータを調整することが決定された場合に、前記セルレベルアップリンク電力パラメータを調整して、調整済みセルレベルアップリンク電力パラメータを前記セルの前記サービスエリア内のＵＥに送信するよう構成された電力パラメータ調整モジュールであって、これにより、前記セルの前記サービスエリア内の前記ＵＥは、前記調整済みセルレベルアップリンク電力パラメータに従って、アップリンク信号を送信する、電力パラメータ調整モジュールとを、
備える、
装置。
【請求項１５】
前記電力パラメータ調整決定モジュールは、前記第１アクセス数と前記第２アクセス数との比に従って、前記セルレベルアップリンク電力パラメータが調整されるべきか否かを決定するよう特に構成される、
請求項１４に記載の装置。
【請求項１６】
前記電力パラメータ調整決定モジュールは、前記第１アクセス数（ａ）及び前記第２アクセス数（ｂ）に従って、ｘ＝ａ／（ａ＋ｂ）である前記比（ｘ）を計算し、
前記比（ｘ）が予め設定された第１閾値より大きい又はこれと等しい場合に、前記セルレベルアップリンク電力パラメータが調整されるべきであると決定するよう特に構成され、
前記電力パラメータ調整モジュールは、前記セルレベルアップリンク電力パラメータの値を減少させるよう特に構成される、
請求項１５に記載の装置。
【請求項１７】
前記電力パラメータ調整モジュールは、前記セルレベルアップリンク電力パラメータの前記値を予め設定された第１調整ステップずつ減少させるよう特に構成される、
請求項１６に記載の装置。
【請求項１８】
前記電力パラメータ調整決定モジュールは、前記第１アクセス数（ａ）及び前記第２アクセス数（ｂ）に従って、ｙ＝ｂ／（ａ＋ｂ）である前記比（ｙ）を計算し、
前記比（ｙ）が予め設定された第２閾値より大きい又はこれと等しい場合に、前記セルレベルアップリンク電力パラメータが調整されるべきであると決定するよう特に構成され、
前記基地局調整モジュールは、前記セルレベルアップリンク電力パラメータの値を増加させるよう特に構成される、
請求項１５に記載の装置。
【請求項１９】
前記基地局調整モジュールは、前記セルレベルアップリンク電力パラメータの前記値を予め設定された第２調整ステップずつ増加させるよう特に構成される、
請求項１８に記載の装置。
【請求項２０】
アップリンク電力制御装置であって、
基地局によって送信されたセルレベルアップリンク電力パラメータを受信するよう構成された電力パラメータ受信モジュールと、
受信された調整済みセルレベルアップリンク電力パラメータの値に従って、アップリンク信号を送信するよう構成されたアップリンク信号送信モジュールとを、
備え、
前記セルレベルアップリンク電力パラメータは、前記基地局がセルレベルアップリンク電力パラメータを調整すると決定した場合に、セルのサービスエリア内のＵＥに送信される前記調整済みセルレベルアップリンク電力パラメータであり、
前記基地局は、第１アクセス数及び第２アクセス数に従って、前記セルレベルアップリンク電力パラメータを調整するか否かを決定し、前記第１アクセス数は、前記基地局の前記セルの前記サービスエリア内の複数のＵＥがランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数である、
装置。
【請求項２１】
前記アップリンク信号送信モジュールは、受信された前記調整済みセルレベルアップリンク電力パラメータの前記値を、前記アップリンク信号を送信するための電力として用いて前記アップリンク信号を前記電力で送信するよう特に構成される、
請求項２０に記載の装置。
【請求項２２】
アップリンク電力制御装置であって、
第１電力と、ユーザ機器ＵＥがセルにアクセスする前にランダムアクセスプリアンブルを送信する合計回数とに従って、ＵＥレベルアップリンク電力パラメータが調整されるべきか否かを決定するよう構成された電力パラメータ調整決定モジュールであって、前記第１電力は、前記ＵＥが前記基地局の前記セルにアクセスする前に初回のランダムアクセスプリアンブルを送信する際の電力である、電力パラメータ調整決定モジュールと、
前記ＵＥレベルアップリンク電力パラメータを調整することが決定された場合に、前記ＵＥレベルアップリンク電力パラメータを調整して、調整済みＵＥレベルアップリンク電力パラメータを前記ＵＥに送信するよう構成された電力パラメータ調整モジュールであって、これにより、前記ＵＥは前記調整済みＵＥレベルアップリンク電力パラメータに従って、アップリンク信号を送信する、電力パラメータ調整モジュールとを、
備える、
装置。
【請求項２３】
前記電力パラメータ調整決定モジュールは、
前記第１電力（Ｐ０）と、前記ＵＥが前記セルにアクセスする前に前記ランダムアクセスプリアンブルを送信する前記合計回数（ｎ）とに従って、第２電力（Ｐ１）を計算し、
前記第２電力（Ｐ１）に従って、前記ＵＥレベルアップリンク電力パラメータが調整されるべきか否かを決定するよう特に構成され、
Ｐ１＝Ｐ０＋（ｎ−１）×Ｓであり、Ｓは予め設定された調整ステップであり、前記第２電力（Ｐ１）は前記ＵＥが前記セルにアクセスする前に最後のランダムアクセスプリアンブルを送信する際の電力である、
請求項２２に記載の装置。
【請求項２４】
前記電力パラメータ調整決定モジュールは、前記第２電力（Ｐ１）がセルレベルアップリンク電力パラメータＰｃｅｌｌと等しくない場合に、前記基地局によって前記ＵＥレベルアップリンク電力パラメータが調整されるべきであると決定するよう特に構成され、
前記電力パラメータ調整モジュールは、前記ＵＥレベルアップリンク電力パラメータの値ＰｕｅをＰｕｅ'に調整するよう特に構成され、Ｐｕｅ'＝Ｐ１−Ｐｃｅｌｌである、
請求項２３に記載の装置。
【請求項２５】
アップリンク電力制御装置であって、
基地局によって送信されたＵＥレベルアップリンク電力パラメータを受信するよう構成された電力パラメータ受信モジュールと、
受信された調整済みＵＥレベルアップリンク電力パラメータの値に従って、アップリンク信号を送信するよう構成されたアップリンク信号送信モジュールとを、
備え、
前記ＵＥレベルアップリンク電力パラメータは、前記基地局がＵＥレベルアップリンク電力パラメータを調整すると決定した場合に、前記ＵＥに送信される前記調整済みＵＥレベルアップリンク電力パラメータであり、
第１電力と、ユーザ機器ＵＥが前記基地局のセルにアクセスする前にランダムアクセスプリアンブルを送信する合計回数とに従って、前記基地局は前記ＵＥレベル電力パラメータを調整するか否かを決定し、
前記第１電力は、前記ＵＥが前記セルにアクセスする前に初回のランダムアクセスプリアンブルを送信する際の電力である、
装置。
【請求項２６】
前記アップリンク信号送信モジュールは、受信された前記調整済みＵＥレベルアップリンク電力パラメータの前記値と、受信されたセルレベルアップリンク電力パラメータの値との合計を、前記アップリンク信号を送信するための電力として用いて前記アップリンク信号を前記電力で送信するよう特に構成される、
請求項２５に記載の装置。
【請求項２７】
プロセッサおよび送信機を備えるアップリンク電力制御装置であって、
前記プロセッサは、第１アクセス数及び第２アクセス数に従って、セルレベルアップリンク電力パラメータが調整されるべきか否かを決定するよう構成され、
前記第１アクセス数は、前記基地局のセルのサービスエリア内の複数のユーザ機器ＵＥがランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数であり、
前記送信機は、前記セルレベルアップリンク電力パラメータを調整することが決定された場合に、前記セルレベルアップリンク電力パラメータを調整して、調整済みセルレベルアップリンク電力パラメータを前記セルの前記サービスエリア内のＵＥに送信するよう構成され、これにより、前記セルの前記サービスエリア内の前記ＵＥは、前記調整済みセルレベルアップリンク電力パラメータに従って、アップリンク信号を送信する、
装置。
【請求項２８】
前記プロセッサは、前記第１アクセス数と前記第２アクセス数との比に従って、前記セルレベルアップリンク電力パラメータが調整されるべきか否かを決定するよう特に構成される、
請求項２７に記載の装置。
【請求項２９】
前記プロセッサは、前記第１アクセス数（ａ）及び前記第２アクセス数（ｂ）に従って、ｘ＝ａ／（ａ＋ｂ）である前記比（ｘ）を計算し、
前記比（ｘ）が予め設定された第１閾値より大きい又はこれと等しい場合に、前記セルレベルアップリンク電力パラメータが調整されるべきであると決定するよう特に構成され、
前記送信機は、前記セルレベルアップリンク電力パラメータの値を減少させるよう特に構成される、
請求項２８に記載の装置。
【請求項３０】
前記送信機は、前記セルレベルアップリンク電力パラメータの前記値を予め設定された第１調整ステップずつ減少させるよう特に構成される、
請求項２９に記載の装置。
【請求項３１】
前記プロセッサは、前記第１アクセス数（ａ）及び前記第２アクセス数（ｂ）に従って、ｙ＝ｂ／（ａ＋ｂ）である前記比（ｙ）を計算し、
前記比（ｙ）が予め設定された第２閾値より大きい又はこれと等しい場合に、前記セルレベルアップリンク電力パラメータが調整されるべきであると決定するよう特に構成され、
前記送信機は、前記セルレベルアップリンク電力パラメータの値を増加させるよう特に構成される、
請求項２８に記載の装置。
【請求項３２】
前記送信機は、前記セルレベルアップリンク電力パラメータの前記値を予め設定された第２調整ステップずつ増加させるよう特に構成される、
請求項３１に記載の装置。
【請求項３３】
受信機及び送信機を備えるアップリンク電力制御装置であって、
前記受信機は、基地局によって送信されたセルレベルアップリンク電力パラメータを受信するよう構成され、
前記セルレベルアップリンク電力パラメータは、前記基地局がセルレベルアップリンク電力パラメータを調整すると決定した場合に、セルのサービスエリア内のＵＥに送信される調整済みセルレベルアップリンク電力パラメータであり、
前記基地局は、第１アクセス数及び第２アクセス数に従って、前記セルレベルアップリンク電力パラメータを調整するか否かを決定し、前記第１アクセス数は、前記基地局の前記セルの前記サービスエリア内の複数のＵＥがランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数であり、
前記送信機は、受信された前記調整済みセルレベルアップリンク電力パラメータの値に従って、アップリンク信号を送信するよう構成される、
装置。
【請求項３４】
前記送信機は、受信された前記調整済みセルレベルアップリンク電力パラメータの前記値を、前記アップリンク信号を送信するための電力として用いて前記アップリンク信号を前記電力で送信するよう特に構成される、
請求項３３に記載の装置。
【請求項３５】
プロセッサおよび送信機を備えるアップリンク電力制御装置であって、
前記プロセッサは、第１電力と、ユーザ機器ＵＥがセルにアクセスする前にランダムアクセスプリアンブルを送信する合計回数とに従って、ＵＥレベルアップリンク電力パラメータが調整されるべきか否かを決定するよう構成され、
前記第１電力は、前記ＵＥが前記基地局の前記セルにアクセスする前に初回のランダムアクセスプリアンブルを送信する際の電力であり、
前記送信機は、前記ＵＥレベルアップリンク電力パラメータを調整することが決定された場合に、前記ＵＥレベルアップリンク電力パラメータを調整して、調整済みＵＥレベルアップリンク電力パラメータを前記ＵＥに送信するよう構成され、これにより、前記ＵＥは前記調整済みＵＥレベルアップリンク電力パラメータに従って、アップリンク信号を送信する、
装置。
【請求項３６】
前記プロセッサは、
前記第１電力（Ｐ０）と、前記ＵＥが前記セルにアクセスする前に前記ランダムアクセスプリアンブルを送信する前記合計回数（ｎ）とに従って、第２電力（Ｐ１）を計算し、
前記第２電力（Ｐ１）に従って、前記ＵＥレベルアップリンク電力パラメータが調整されるべきか否かを決定するよう特に構成され、
Ｐ１＝Ｐ０＋（ｎ−１）×Ｓであり、Ｓは予め設定された調整ステップであり、前記第２電力（Ｐ１）は前記ＵＥが前記セルにアクセスする前に最後のランダムアクセスプリアンブルを送信する際の電力である、
請求項３５に記載の装置。
【請求項３７】
前記プロセッサは、前記第２電力（Ｐ１）がセルレベルアップリンク電力パラメータＰｃｅｌｌと等しくない場合に、前記基地局によって前記ＵＥレベルアップリンク電力パラメータが調整されるべきであると決定するよう特に構成され、
前記送信機は、前記ＵＥレベルアップリンク電力パラメータの値ＰｕｅをＰｕｅ'に調整するよう特に構成され、Ｐｕｅ'＝Ｐ１−Ｐｃｅｌｌである、
請求項３６に記載の装置。
【請求項３８】
受信機及び送信機を備えるアップリンク電力制御装置であって、
前記受信機は、基地局によって送信されたＵＥレベルアップリンク電力パラメータを受信するよう構成され、
前記ＵＥレベルアップリンク電力パラメータは、前記基地局がＵＥレベルアップリンク電力パラメータを調整すると決定した場合に、前記ＵＥに送信される調整済みＵＥレベルアップリンク電力パラメータであり、
第１電力と、ユーザ機器である前記ＵＥが前記基地局のセルにアクセスする前にランダムアクセスプリアンブルを送信する合計回数とに従って、前記基地局は前記ＵＥレベル電力パラメータを調整するか否かを決定し、
前記第１電力は、前記ＵＥが前記セルにアクセスする前に初回のランダムアクセスプリアンブルを送信する際の電力であり、
前記送信機は、受信された前記調整済みＵＥレベルアップリンク電力パラメータの値に従って、アップリンク信号を送信するよう構成される、
装置。
【請求項３９】
前記送信機は、受信された前記調整済みＵＥレベルアップリンク電力パラメータの前記値と、受信されたセルレベルアップリンク電力パラメータの値との合計を、前記アップリンク信号を送信するための電力として用いて前記アップリンク信号を前記電力で送信するよう特に構成される、
請求項３８に記載の装置。
【発明の詳細な説明】
【技術分野】
【０００１】
本願発明の複数の実施形態は、複数の通信技術に関し、具体的にはアップリンク電力制御方法及び装置に関する。
【背景技術】
【０００２】
ロングタームエボリューション（Ｌｏｎｇ  Ｔｅｒｍ  Ｅｖｏｌｕｔｉｏｎ、略してＬＴＥ）システムはアップリンク電力制御を有し、この機能はネットワーク全体の干渉を減少させて、サービスのサービス品質が保証されるという条件でシステム容量を向上させることを目指している。
【０００３】
従来技術において、発展型ＮｏｄｅＢ（Ｅｖｏｌｖｅｄ  ＮｏｄｅＢ、略してｅＮｏｄｅＢ）は、ユーザ機器（Ｕｓｅｒ  Ｅｑｕｉｐｍｅｎｔ、略してＵＥ）の信号送信電力を絶えず測定して、信号送信電力を予め設定された目標電力と比較し、電力制御コマンドを生成してＵＥに送出する。これにより、ＵＥはｅＮｏｄｅＢによって送出された電力制御コマンドを受信した後に信号送信電力を制御するので、測定された信号送信電力と目標電力との間の差異は縮小される。例えば、測定された信号送信電力が目標電力より大きい場合に、ｅＮｏｄｅＢは、ＵＥが信号送信電力を下げることを可能にする電力制御コマンドを送出する。しかしながら、この方法は大量の測定データに頼るので、測定リソースを消費する。更に、電力構成パラメータは、一定時間内に測定されたデータに対して統計解析が実行された後でしか最適化され得ない。
【発明の概要】
【０００４】
本願発明の複数の実施形態は、アップリンク電力制御方法及び装置を提供して、ＵＥの信号送信電力を絶えず測定することによってもたらされる、従来技術のリソース消費問題を解決する。
【０００５】
第１態様に従って、本願発明の一実施形態は、以下の段階を含むアップリンク電力制御方法を提供する。すなわち、第１アクセス数及び第２アクセス数に従って、基地局によって、セルレベルアップリンク電力パラメータを調整するか否かを決定する段階である。第１アクセス数は、基地局のセルのサービスエリア内の複数のユーザ機器ＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。そして、セルレベルアップリンク電力パラメータを調整すると決定した場合に、基地局によって、セルレベルアップリンク電力パラメータを調整して、調整済みセルレベルアップリンク電力パラメータをセルのサービスエリア内のＵＥに送信する段階である。これにより、セルのサービスエリア内のＵＥは、調整済みセルレベルアップリンク電力パラメータに従ってアップリンク信号を送信する。
【０００６】
第１態様の第１の可能な実施例において、第１アクセス数及び第２アクセス数に従って、基地局によって、セルレベルアップリンク電力パラメータを調整するか否かを決定する段階は、以下の段階を含む。すなわち、第１アクセス数と第２アクセス数との比に従って、基地局によって、セルレベルアップリンク電力パラメータを調整するか否かを決定する段階である。
【０００７】
第１態様の第１の可能な実装態様に従って、第２の可能な実施例では、第１アクセス数と第２アクセス数との比に従って、基地局によって、セルレベルアップリンク電力パラメータを調整するか否かを決定する段階は、以下の段階を含む。すなわち、基地局によって、第１アクセス数（ａ）及び第２アクセス数（ｂ）に従って、ｘ＝ａ／（ａ＋ｂ）である比（ｘ）を計算する段階。比（ｘ）が予め設定された第１閾値より大きい又はこれと等しい場合に、基地局によって、セルレベルアップリンク電力パラメータを調整すると決定する段階。そして、基地局によって、セルレベルアップリンク電力パラメータを調整する段階は、以下の段階を含む。すなわち、基地局によって、セルレベルアップリンク電力パラメータの値を減少させる段階である。
【０００８】
第１態様の第２の可能な実装態様に従って、第３の可能な実施例では、基地局によってセルレベルアップリンク電力パラメータの値を減少させる段階は、以下の段階を含む。すなわち、基地局によって、セルレベルアップリンク電力パラメータの値を予め設定された第１調整ステップずつ減少させる段階である。
【０００９】
第１態様の第１の可能な実装態様に従って、第４の可能な実施例では、第１アクセス数と第２アクセス数との比に従って、基地局によって、セルレベルアップリンク電力パラメータを調整するか否かを決定する段階は、以下の段階を含む。すなわち、基地局によって、第１アクセス数（ａ）及び第２アクセス数（ｂ）に従って、ｙ＝ｂ／（ａ＋ｂ）である比（ｙ）を計算する段階。比（ｙ）が予め設定された第２閾値より大きい又はこれと等しい場合に、基地局によって、セルレベルアップリンク電力パラメータを調整すると決定する段階。そして、基地局によって、セルレベルアップリンク電力パラメータを調整する段階は、以下の段階を含む。すなわち、基地局によって、セルレベルアップリンク電力パラメータの値を増加させる段階である。
【００１０】
第１態様の第４の可能な実装態様に従って、第５の可能な実施例では、基地局によってセルレベルアップリンク電力パラメータの値を増加させる段階は、以下の段階を含む。すなわち、基地局によって、セルレベルアップリンク電力パラメータの値を予め設定された第２調整ステップずつ増加させる段階である。
【００１１】
第２態様に従って、本願発明の一実施形態は、以下の段階を含むアップリンク電力制御方法を提供する。すなわち、基地局によって送信されたセルレベルアップリンク電力パラメータを、セルのサービスエリア内のユーザ機器ＵＥによって受信する段階である。セルレベルアップリンク電力パラメータは、基地局がセルレベルアップリンク電力パラメータを調整すると決定した場合に、セルのサービスエリア内のＵＥに送信される調整済みセルレベルアップリンク電力パラメータである。基地局は、第１アクセス数及び第２アクセス数に従って、セルレベルアップリンク電力パラメータを調整するか否かを決定する。第１アクセス数は、セルのサービスエリア内の複数のＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。そして、ＵＥによって、受信された調整済みセルレベルアップリンク電力パラメータの値に従って、アップリンク信号を送信する段階である。
【００１２】
第２態様の第１の可能な実施例では、ＵＥによって、受信された調整済みセルレベルアップリンク電力パラメータの値に従って、アップリンク信号を送信する段階は、以下の段階を含む。すなわち、ＵＥによって、受信された調整済みセルレベルアップリンク電力パラメータの値を、アップリンク信号を送信するための電力として用い、アップリンク信号をその電力で送信する段階である。
【００１３】
第３態様に従って、本願発明の一実施形態は、以下の段階を含むアップリンク電力制御方法を提供する。すなわち、第１電力とユーザ機器ＵＥがセルにアクセスする前にランダムアクセスプリアンブルを送信する合計回数とに従って、基地局によって、ＵＥレベルアップリンク電力パラメータを調整するか否かを決定する段階である。第１電力は、ＵＥが基地局のセルにアクセスする前に初回のランダムアクセスプリアンブルを送信する際の電力である。そして、ＵＥレベルアップリンク電力パラメータを調整すると決定した場合に、基地局によって、ＵＥレベルアップリンク電力パラメータを調整して、調整済みＵＥレベルアップリンク電力パラメータをＵＥに送信する段階である。これにより、ＵＥは調整済みＵＥレベルアップリンク電力パラメータに従って、アップリンク信号を送信する。
【００１４】
第３態様の第１の可能な実施例では、第１電力とユーザ機器ＵＥがセルにアクセスする前にランダムアクセスプリアンブルを送信する合計回数とに従って、基地局によって、ＵＥレベルアップリンク電力パラメータを調整するか否かを決定する段階は、以下の段階を含む。すなわち、基地局によって、第１電力（Ｐ０）とＵＥがセルにアクセスする前にランダムアクセスプリアンブルを送信する合計回数（ｎ）とに従って、第２電力（Ｐ１）を計算する段階であり、Ｐ１＝Ｐ０＋（ｎ−１）×Ｓであり、Ｓは予め設定された調整ステップであり、第２電力（Ｐ１）はＵＥがセルにアクセスする前に最後のランダムアクセスプリアンブルを送信する際の電力である。そして、第２電力（Ｐ１）に従って、基地局によって、ＵＥレベルアップリンク電力パラメータを調整するか否かを決定する段階である。
【００１５】
第１態様の第１の可能な実装態様に従って、第２の可能な実施例では、第２電力（Ｐ１）に従って、基地局によってＵＥレベルアップリンク電力パラメータを調整するか否かを決定する段階は、以下の段階を含む。すなわち、第２電力（Ｐ１）がセルレベルアップリンク電力パラメータＰｃｅｌｌと等しくない場合に、基地局によって、ＵＥレベルアップリンク電力パラメータを調整すると決定する段階である。そして、基地局によって、ＵＥレベルアップリンク電力パラメータを調整する段階は、以下の段階を含む。すなわち、基地局によって、ＵＥレベルアップリンク電力パラメータの値ＰｕｅをＰｕｅ'に調整する段階であり、Ｐｕｅ'＝Ｐ１−Ｐｃｅｌｌである。
【００１６】
第４態様に従って、本願発明の一実施形態は、以下の段階を含むアップリンク電力制御方法を提供する。すなわち、基地局によって送信されたＵＥレベルアップリンク電力パラメータをユーザ機器ＵＥによって受信する段階である。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とＵＥが基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。そして、受信された調整済みＵＥレベルアップリンク電力パラメータの値に従って、アップリンク信号をＵＥによって送信する段階である。
【００１７】
第４態様の第１の可能な実施例では、受信された調整済みＵＥレベルアップリンク電力パラメータの値に従って、アップリンク信号をＵＥによって送信する段階は、以下の段階を含む。すなわち、ＵＥによって、受信された調整済みＵＥレベルアップリンク電力パラメータの値と、受信されたセルレベルアップリンク電力パラメータの値との合計を、アップリンク信号を送信するための電力として用いて、アップリンク信号をその電力で送信する段階である。
【００１８】
第５態様に従って、本願発明の一実施形態は、以下のものを含むアップリンク電力制御装置を提供する。すなわち、第１アクセス数及び第２アクセス数に従って、セルレベルアップリンク電力パラメータが調整されるべきか否かを決定するよう構成された電力パラメータ調整決定モジュールである。第１アクセス数は、基地局のセルのサービスエリア内の複数のユーザ機器ＵＥがランダムアクセスプリアンブルを１回送信することによってセルにアクセスする回数である。第２アクセス数は、セルのサービスエリアの複数のＵＥがランダムアクセスプリアンブルを少なくとも２回送信することによってセルにアクセスする回数である。そして、セルレベルアップリンク電力パラメータを調整することが決定された場合に、セルレベルアップリンク電力パラメータを調整して、調整済みセルレベルアップリンク電力パラメータをセルのサービスエリア内のＵＥに送信するよう構成された電力パラメータ調整モジュールである。これにより、セルのサービスエリア内のＵＥは、調整済みセルレベルアップリンク電力パラメータに従ってアップリンク信号を送信する。
【００１９】
第５態様の第１の可能な実施例では、電力パラメータ調整決定モジュールは、第１アクセス数と第２アクセス数との比に従って、セルレベルアップリンク電力パラメータが調整されるべきか否かを決定するよう特に構成される。第５態様の第１の可能な実装態様に従って、第２の可能な実施例では、電力パラメータ調整決定モジュールは、第１アクセス数（ａ）及び第２アクセス数（ｂ）に従って、ｘ＝ａ／（ａ＋ｂ）である比（ｘ）を計算し、比（ｘ）が予め設定された第１閾値より大きい又はこれと等しい場合に、セルレベルアップリンク電力パラメータが調整されるべきと決定するよう特に構成される。また電力パラメータ調整モジュールは、セルレベルアップリンク電力パラメータの値を減少させるよう特に構成される。第５態様の第２の可能な実装態様に従って、第３の可能な実施例では、電力パラメータ調整モジュールは、セルレベルアップリンク電力パラメータの値を予め設定された第１調整ステップずつ減少させるよう特に構成される。第５態様の第１の可能な実装態様に従って、第４の可能な実施例では、電力パラメータ調整決定モジュールは、第１アクセス数（ａ）及び第２アクセス数（ｂ）に従って、ｙ＝ｂ／（ａ＋ｂ）である比（ｙ）を計算し、比（ｙ）が予め設定された第２閾値より大きい又はこれと等しい場合に、セルレベルアップリンク電力パラメータが調整されるべきと決定するよう特に構成される。また基地局調整モジュールは、セルレベルアップリンク電力パラメータの値を増加させるよう特に構成される。第５態様の第４の可能な実装態様に従って、第５の可能な実施例では、基地局調整モジュールは、セルレベルアップリンク電力パラメータの値を予め設定された第２調整ステップずつ増加させるよう特に構成される。
【００２０】
第６態様に従って、本願発明の一実施形態は、以下のものを含むアップリンク電力制御装置を提供する。すなわち、基地局によって送信されたセルレベルアップリンク電力パラメータを受信するよう構成された電力パラメータ受信モジュールである。セルレベルアップリンク電力パラメータは、基地局がセルレベルアップリンク電力パラメータを調整すると決定した場合に、セルのサービスエリア内のＵＥに送信される調整済みセルレベルアップリンク電力パラメータである。基地局は、第１アクセス数及び第２アクセス数に従って、セルレベルアップリンク電力パラメータを調整するか否かを決定する。第１アクセス数は、基地局のセルのサービスエリア内の複数のＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。そして、受信された調整済みセルレベルアップリンク電力パラメータの値に従って、アップリンク信号を送信するよう構成されたアップリンク信号送信モジュールである。
【００２１】
第６態様の第１の可能な実施例では、アップリンク信号送信モジュールは、受信された調整済みセルレベルアップリンク電力パラメータの値を、アップリンク信号を送信するための電力として用いて、アップリンク信号をその電力で送信するよう特に構成される。
【００２２】
第７態様に従って、本願発明の一実施形態は、以下のものを含むアップリンク電力制御装置を提供する。すなわち、第１電力とユーザ機器ＵＥがセルにアクセスする前にランダムアクセスプリアンブルを送信する合計回数とに従って、ＵＥレベルアップリンク電力パラメータが調整されるべきか否かを決定するよう構成された電力パラメータ調整決定モジュールである。第１電力は、ＵＥが基地局のセルにアクセスする前に初回のランダムアクセスプリアンブルを送信する際の電力である。そして、ＵＥレベルアップリンク電力パラメータを調整することが決定された場合に、ＵＥレベルアップリンク電力パラメータを調整して、調整済みＵＥレベルアップリンク電力パラメータをＵＥに送信するよう構成された電力パラメータ調整モジュールである。これにより、ＵＥは調整済みＵＥレベルアップリンク電力パラメータに従ってアップリンク信号を送信する。
【００２３】
第７態様の第１の可能な実施例では、電力パラメータ調整決定モジュールは、第１電力（Ｐ０）とＵＥがセルにアクセスする前にランダムアクセスプリアンブルを送信する合計回数（ｎ）とに従って第２電力（Ｐ１）を計算し、第２電力（Ｐ１）に従って、ＵＥレベルアップリンク電力パラメータを調整するか否かを決定するよう特に構成され、Ｐ１＝Ｐ０＋（ｎ−１）×Ｓであり、Ｓは予め設定された調整ステップであり、第２電力（Ｐ１）はＵＥがセルにアクセスする前に最後のランダムアクセスプリアンブルを送信する際の電力である。
【００２４】
第７態様の第１の可能な実装態様に従って、第２の可能な実施例では、電力パラメータ調整決定モジュールは、第２電力（Ｐ１）がセルレベルアップリンク電力パラメータＰｃｅｌｌと等しくない場合に、基地局によって、ＵＥレベルアップリンク電力パラメータが調整されるべきであると決定するよう特に構成される。また電力パラメータ調整モジュールは、ＵＥレベルアップリンク電力パラメータの値ＰｕｅをＰｕｅ'に調整するよう特に構成され、Ｐｕｅ'＝Ｐ１−Ｐｃｅｌｌである。
【００２５】
第８態様に従って、本願発明の一実施形態は、以下のものを含むアップリンク電力制御装置を提供する。すなわち、基地局によって送信されたＵＥレベルアップリンク電力パラメータを受信するよう構成された電力パラメータ受信モジュールである。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とユーザ機器ＵＥが基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。そして、受信された調整済みＵＥレベルアップリンク電力パラメータの値に従って、アップリンク信号を送信するよう構成されたアップリンク信号送信モジュールである。
【００２６】
第８態様の第１の可能な実施例では、アップリンク信号送信モジュールは、受信された調整済みＵＥレベルアップリンク電力パラメータの値と、受信されたセルレベルアップリンク電力パラメータの値との合計を、アップリンク信号を送信するための電力として用いて、アップリンク信号をその電力で送信するよう特に構成される。
【００２７】
第９態様に従って、本願発明の一実施形態はプロセッサおよび送信機を含むアップリンク電力制御装置を提供する。プロセッサは、第１アクセス数及び第２アクセス数に従って、セルレベルアップリンク電力パラメータが調整されるべきか否かを決定するよう構成される。第１アクセス数は、基地局のセルのサービスエリア内の複数のユーザ機器ＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。また送信機は、セルレベルアップリンク電力パラメータを調整することが決定された場合に、セルレベルアップリンク電力パラメータを調整して、調整済みセルレベルアップリンク電力パラメータをセルのサービスエリア内のＵＥに送信するよう構成される。これにより、セルのサービスエリア内のＵＥは、調整済みセルレベルアップリンク電力パラメータに従ってアップリンク信号を送信する。
【００２８】
第９態様の第１の可能な実施例では、プロセッサは、第１アクセス数と第２アクセス数との比に従って、セルレベルアップリンク電力パラメータが調整されるべきか否かを決定するよう特に構成される。第９態様の第１の可能な実装態様に従って、第２の可能な実施例では、プロセッサは、第１アクセス数（ａ）及び第２アクセス数（ｂ）に従って、ｘ＝ａ／（ａ＋ｂ）である比（ｘ）を計算し、比（ｘ）が予め設定された第１閾値より大きい又はこれと等しい場合に、セルレベルアップリンク電力パラメータが調整されるべきと決定するよう特に構成される。また送信機は、セルレベルアップリンク電力パラメータの値を減少させるよう特に構成される。第９態様の第２の可能な実装態様に従って、第３の可能な実施例では、送信機は、セルレベルアップリンク電力パラメータの値を予め設定された第１調整ステップずつ減少させるよう特に構成される。第９態様の第１の可能な実装態様に従って、第４の可能な実施例では、プロセッサは、第１アクセス数（ａ）及び第２アクセス数（ｂ）に従って、ｙ＝ｂ／（ａ＋ｂ）である比（ｙ）を計算し、比（ｙ）が予め設定された第２閾値より大きい又はこれと等しい場合に、セルレベルアップリンク電力パラメータが調整されるべきと決定するよう特に構成される。また送信機は、セルレベルアップリンク電力パラメータの値を増加させるよう特に構成される。第９態様の第４の可能な実装態様に従って、第５の可能な実施例では、送信機は、セルレベルアップリンク電力パラメータの値を予め設定された第２調整ステップずつ増加させるよう特に構成される。
【００２９】
第１０態様に従って、本願発明の一実施形態は、受信機及び送信機を含むアップリンク電力制御装置を提供する。受信機は、基地局によって送信されたセルレベルアップリンク電力パラメータを受信するよう構成される。セルレベルアップリンク電力パラメータは、基地局がセルレベルアップリンク電力パラメータを調整すると決定した場合に、セルのサービスエリア内のＵＥに送信される調整済みセルレベルアップリンク電力パラメータである。基地局は、第１アクセス数及び第２アクセス数に従って、セルレベルアップリンク電力パラメータを調整するか否かを決定する。第１アクセス数は、基地局のセルのサービスエリア内の複数のＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。また送信機は、受信された調整済みセルレベルアップリンク電力パラメータの値に従って、アップリンク信号を送信するよう構成される。
【００３０】
第１０態様の第１の可能な実施例では、送信機は、受信された調整済みセルレベルアップリンク電力パラメータの値を、アップリンク信号を送信するための電力として用いて、アップリンク信号をその電力で送信するよう特に構成される。
【００３１】
第１１形態に従って、本願発明の一実施形態は、プロセッサおよび送信機を含むアップリンク電力制御装置を提供する。プロセッサは、第１電力とユーザ機器ＵＥがセルにアクセスする前にランダムアクセスプリアンブルを送信する合計回数とに従って、ＵＥレベルアップリンク電力パラメータが調整されるべきか否かを決定するよう構成される。第１電力は、ＵＥが基地局のセルにアクセスする前に初回のランダムアクセスプリアンブルを送信する際の電力である。また送信機は、ＵＥレベルアップリンク電力パラメータを調整することが決定された場合に、ＵＥレベルアップリンク電力パラメータを調整して、調整済みＵＥレベルアップリンク電力パラメータをＵＥに送信するよう構成される。これにより、ＵＥは調整済みＵＥレベルアップリンク電力パラメータに従って、アップリンク信号を送信する。
【００３２】
第１１形態の第１の可能な実施例では、プロセッサは、第１電力（Ｐ０）とＵＥがセルにアクセスする前にランダムアクセスプリアンブルを送信する合計回数（ｎ）とに従って、第２電力（Ｐ１）を計算し、第２電力（Ｐ１）に従って、ＵＥレベルアップリンク電力パラメータが調整されるべきか否かを決定するよう特に構成され、Ｐ１＝Ｐ０＋（ｎ−１）×Ｓであり、Ｓは予め設定された調整ステップであり、第２電力（Ｐ１）はＵＥがセルにアクセスする前に最後のランダムアクセスプリアンブルを送信する際の電力である。
【００３３】
第１１形態の第１の可能な実装態様に従って、第２の可能な実施例では、プロセッサは、第２電力（Ｐ１）がセルレベルアップリンク電力パラメータＰｃｅｌｌと等しくない場合に、基地局によってＵＥレベルアップリンク電力パラメータが調整されるべきであると決定するよう特に構成される。また送信機は、ＵＥレベルアップリンク電力パラメータの値ＰｕｅをＰｕｅ'に調整するよう特に構成され、Ｐｕｅ'＝Ｐ１−Ｐｃｅｌｌである。
【００３４】
第１２態様に従って、本願発明の一実施形態は、受信機及び送信機を含むアップリンク電力制御装置を提供する。受信機は、基地局によって送信されたＵＥレベルアップリンク電力パラメータを受信するよう構成される。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とユーザ機器ＵＥが基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。また送信機は、受信された調整済みＵＥレベルアップリンク電力パラメータに従って、アップリンク信号を送信するよう構成される。
【００３５】
第１２態様の第１の可能な実施例では、送信機は、受信された調整済みＵＥレベルアップリンク電力パラメータの値と、受信されたセルレベルアップリンク電力パラメータの値との合計を、アップリンク信号を送信するための電力として用いて、アップリンク信号をその電力で送信するよう特に構成される。
【００３６】
本願発明の複数の実施形態におけるアップリンク電力制御方法及び装置によると、第１アクセス数及び第２アクセス数に従って、セルレベルアップリンク電力パラメータを調整するか否かが決定される。セルレベルアップリンク電力パラメータを調整することが決定された場合に、セルレベルアップリンク電力パラメータが調整されて、調整済みセルレベルアップリンク電力パラメータがセルのサービスエリア内のＵＥに送信される。これにより、セルのサービスエリア内のＵＥは、調整済みセルレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約する。
【図面の簡単な説明】
【００３７】
本願発明の複数の実施形態又は従来技術において、複数の技術的解決法をより明確に説明すべく、複数の実施形態又は従来技術を説明するのに必要である複数の添付図面を以下に簡潔に紹介する。以下の説明にある複数の添付図面は、単に本願発明のいくつかの実施形態を示すだけであり、それでも当業者は創造努力をすることなく、これらの添付図面から他の複数の図面を導き出し得ることは明らかである。
【００３８】
【図１】本願発明の実施形態１に従うアップリンク電力制御方法のフローチャートである。
【００３９】
【図２】本願発明の実施形態２に従うアップリンク電力制御方法のフローチャートである。
【００４０】
【図３】本願発明の実施形態３に従うアップリンク電力制御方法のフローチャートである。
【００４１】
【図４】本願発明の実施形態４に従うアップリンク電力制御方法のフローチャートである。
【００４２】
【図５】本願発明の実施形態５に従うアップリンク電力制御方法のフローチャートである。
【００４３】
【図６】本願発明の実施形態６に従うアップリンク電力制御方法のフローチャートである。
【００４４】
【図７】本願発明の実施形態７に従うアップリンク電力制御装置７００の概略構造図である。
【００４５】
【図８】本願発明の実施形態８に従うアップリンク電力制御装置８００の概略構造図である。
【００４６】
【図９】本願発明の実施形態９に従うアップリンク電力制御装置９００の概略構造図である。
【００４７】
【図１０】本願発明の実施形態１０に従うアップリンク電力制御装置１０００の概略構造図である。
【発明を実施するための形態】
【００４８】
本願発明の複数の実施形態の複数の目的、技術的解決法、及び利点をより明確にすべく、本願発明の複数の実施形態における複数の添付図面を参照して、本願発明の複数の実施形態における複数の技術的解決法を以下に明確かつ完全に説明する。説明された複数の実施形態は、本願発明の複数の実施形態の一部であって、全てではないことは明らかである。本願発明の複数の実施形態に基づいて、創造努力をすることなく当業者によって得られる他の全ての実施形態は、本願発明の保護範囲に含まれるものとする。
【００４９】
図１は、本願発明の実施形態１に従うアップリンク電力制御方法のフローチャートである。この実施形態における方法は、セルのサービスエリア内のＵＥに対してアップリンク電力制御が実行される場合に適用可能である。この方法は、アップリンク電力制御装置によって実行され、装置は概してハードウェア及び／又はソフトウェアの態様で実装される。この実施形態における方法は、以下の複数の段階を含む。
【００５０】
１１０．基地局は、第１アクセス数及び第２アクセス数に従って、セルレベルアップリンク電力パラメータを調整するか否かを決定する。第１アクセス数は、基地局のセルのサービスエリア内の複数のユーザ機器ＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。
【００５１】
従来技術において、アップリンク電力制御は大量の測定データに頼るが故に、比較的大量の測定リソースが消費される。しかしながら、セルのサービスエリア内の複数のＵＥがセルにアクセスした後に、段階１１０における第１アクセス数及び第２アクセス数は、複数のＵＥがセルにアクセスする前に複数のＵＥによって報告される、ランダムアクセスプリアンブルを送信する回数に従って、基地局によって集計され得る。従って、基地局はＵＥがアップリンク信号を送信する際の電力を絶えず測定する必要はないので、測定リソースは節約される。この実施形態の段階１１０において、段階１２０に進むか否かを決定すべく、基地局は、第１アクセス数及び第２アクセス数に従って、セルレベルアップリンク電力パラメータを調整するか否かを決定する。
【００５２】
１２０．セルレベルアップリンク電力パラメータを調整すると決定した場合に、基地局はセルレベルアップリンク電力パラメータを調整して、調整済みセルレベルアップリンク電力パラメータをセルのサービスエリア内のＵＥに送信する。これにより、セルのサービスエリア内のＵＥは、調整済みセルレベルアップリンク電力パラメータに従って、アップリンク信号を送信する。
【００５３】
具体的には、基地局は、第１アクセス数及び第２アクセス数に従って、セルレベルアップリンク電力パラメータを調整するか否かを決定し、セルレベルアップリンク電力パラメータを調整すると決定した場合に、セルレベルアップリンク電力パラメータを調整して、調整済みセルレベルアップリンク電力パラメータをセルのサービスエリア内のＵＥに送信する。これにより、セルのサービスエリア内のＵＥは、調整済みセルレベルアップリンク電力パラメータに従って、アップリンク信号を送信する。
【００５４】
この実施形態において提供されるアップリンク電力制御方法によると、第１アクセス数及び第２アクセス数に従って、セルレベルアップリンク電力パラメータを調整するか否かが決定され、セルレベルアップリンク電力パラメータを調整することが決定された場合、セルレベルアップリンク電力パラメータは調整されて、調整済みセルレベルアップリンク電力パラメータがセルのサービスエリア内のＵＥに送信され、これにより、セルのサービスエリア内のＵＥは、調整済みセルレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約する。
【００５５】
図２は、本願発明の実施形態２に従うアップリンク電力制御方法のフローチャートである。図２を参照すると、この実施形態における方法は以下の段階を含み得る。
【００５６】
２１０．基地局は、第１アクセス数と第２アクセス数との比に従って、セルレベルアップリンク電力パラメータを調整するか否かを決定する。
【００５７】
例えば、第１アクセス数と第２アクセス数との比に従って、セルレベルアップリンク電力パラメータを調整するか否かを決定する段階は、以下のやり方で実装され得る。
【００５８】
基地局は、第１アクセス数（ａ）及び第２アクセス数（ｂ）に従って、ｘ＝ａ／（ａ＋ｂ）である比（ｘ）を計算して、比（ｘ）が予め設定された第１閾値より大きい又はこれと等しい場合に、セルレベルアップリンク電力パラメータを調整すると決定する。
【００５９】
ｘの値が比較的大きい場合、セルのサービスエリア内の大部分のＵＥは、ランダムアクセスプリアンブルを１回送信することによってセルにアクセスすることを意味し、設定されたセルレベルアップリンク電力パラメータは比較的大きいことが決定され得る。つまり、セルレベルアップリンク電力パラメータを調整するか否かを決定すべく、セルレベルアップリンク電力パラメータが大きいか小さいかが、比（ｘ）の値に従って決定され得る。
【００６０】
２２０．セルレベルアップリンク電力パラメータを調整すると決定した場合に、基地局はセルレベルアップリンク電力パラメータを調整して、調整済みセルレベルアップリンク電力パラメータをセルのサービスエリア内のＵＥに送信する。これにより、セルのサービスエリア内のＵＥは、調整済みセルレベルアップリンク電力パラメータに従って、アップリンク信号を送信する。
【００６１】
例えば、セルレベルアップリンク電力パラメータを調整する段階は、以下のやり方で実装され得る。
【００６２】
例えば、比（ｘ）が予め設定された第１閾値より大きい又はこれと等しい場合に、セルレベルアップリンク電力パラメータの値は、セルレベルアップリンク電力パラメータの調整を実施すべく減少させられる。セルレベルアップリンク電力パラメータの値を減少させる段階は、セルレベルアップリンク電力パラメータの値が予め設定された第１調整ステップずつ減少させられるということであり得る。
【００６３】
設定されたセルレベルアップリンク電力パラメータが比較的大きいと決定される場合に、セルレベルアップリンク電力パラメータの値は予め設定された第１調整ステップずつ減少させられ得て、第１調整ステップは、異なるチャネルである復調性能及び干渉に従って設定され得て、例えば、第１調整ステップは１ｄｂｍ又は２ｄｂｍに設定されることが留意されるべきである。セル間の干渉は、セルレベルアップリンク電力パラメータの値を調整することによって、減少させられる。例えば、比（ｘ）が予め設定された第１閾値より大きい又はこれと等しい場合、ここで第１閾値は９０％に設定されているが、セルレベルアップリンク電力パラメータの値は減少させられる。セルレベルアップリンク電力パラメータの現行値、例えば、ｐ０−ＮｏｍｉｎａｌＰＵＣＣＨが−１０５ｄｂｍであり、設定された第１調整ステップが２ｄｂｍである場合に、ｐ０−ＮｏｍｉｎａｌＰＵＣＣＨの調整値は−１０７ｄｂｍである。
【００６４】
この実施形態において提供されるアップリンク電力制御方法によると、第１アクセス数と第２アクセス数との比に従って、セルレベルアップリンク電力パラメータを調整するか否かが決定され、比が予め設定された第１閾値より大きい又はこれと等しい場合に、セルレベルアップリンク電力パラメータは、セルレベルアップリンク電力パラメータの値を減少させることによって調整される。従って、セルレベルアップリンク電力パラメータを調整すべく、ＵＥの信号送信電力を絶えず測定することによってもたらされた、従来技術におけるリソース消費問題は解決され、それにより、測定リソースを節約する。
【００６５】
図２を参照すると、この実施形態において提供されるアップリンク電力制御方法のフローチャートは図２と同じである。この実施形態では、第１アクセス数と第２アクセス数との比に従って、セルレベルアップリンク電力パラメータを調整するか否かを決定する段階は、以下のやり方で実装され得る。
【００６６】
基地局は、第１アクセス数（ａ）及び第２アクセス数（ｂ）に従って、ｙ＝ｂ／（ａ＋ｂ）である比（ｙ）を計算して、比（ｙ）が予め設定された第２閾値より大きい又はこれと等しい場合に、セルレベルアップリンク電力パラメータを調整すると決定する。
【００６７】
この実施形態では、比（ｙ）の値が比較的大きい場合、セルのサービスエリア内の大部分のＵＥは、ランダムアクセスプリアンブルを少なくとも２回送信することによってセルにアクセスすることを意味し、設定されたセルレベルアップリンク電力パラメータは比較的小さいことが決定され得る。つまり、セルレベルアップリンク電力パラメータを調整するか否かを決定すべく、セルレベルアップリンク電力パラメータが大きいか小さいかが、比（ｙ）の値に従って決定され得る。
【００６８】
この実施形態では、セルレベルアップリンク電力パラメータを調整すると決定した場合に、基地局はセルレベルアップリンク電力パラメータを調整して、調整済みセルレベルアップリンク電力パラメータをセルのサービスエリア内のＵＥに送信する。これにより、セルのサービスエリア内のＵＥは、調整済みセルレベルアップリンク電力パラメータに従って、アップリンク信号を送信する。セルレベルアップリンク電力パラメータを調整する段階は、以下のやり方で実装され得る。
【００６９】
例えば、比（ｙ）が予め設定された第２閾値より大きい又はこれと等しい場合に、基地局は、セルレベルアップリンク電力パラメータの調整を実施すべく、セルレベルアップリンク電力パラメータの値を増加させる。基地局がセルレベルアップリンク電力パラメータの値を増加させることは、基地局がセルレベルアップリンク電力パラメータの値を予め設定された第２調整ステップずつ増加させることであり得る。
【００７０】
設定されたセルレベルアップリンク電力パラメータが比較的小さいと決定される場合に、セルレベルアップリンク電力パラメータの値は予め設定された第２調整ステップずつ増加させられ得て、第２調整ステップは、異なるチャネルである復調性能及び干渉に従って設定され得て、例えば、第２調整ステップは１ｄｂｍ又は２ｄｂｍに設定されることが留意されるべきである。ＵＥのアップリンク復調性能は、セルレベルアップリンク電力パラメータの値を増加させることによって高められる。例えば、比（ｙ）が予め設定された第２閾値より大きい又はこれと等しい場合、例えば、第２閾値は４０％であるが、セルレベルアップリンク電力パラメータの値は増加させられる。セルレベルアップリンク電力パラメータの現行値、例えば、「ｐ０−ＮｏｍｉｎａｌＰＵＣＣＨ」が−１０５ｄｂｍであり、設定された第２調整ステップが１ｄｂｍである場合に、「ｐ０−ＮｏｍｉｎａｌＰＵＣＣＨ」の調整値は−１０４ｄｂｍである。
【００７１】
この実施形態において提供されるアップリンク電力制御方法によると、基地局は、第１アクセス数と第２アクセス数との比に従ってセルレベルアップリンク電力パラメータを調整するか否かを決定し、比が予め設定された第２閾値より大きい又はこれと等しい場合に、セルレベルアップリンク電力パラメータの値を増加させることによってセルレベルアップリンク電力パラメータを調整する。従って、セルレベルアップリンク電力パラメータを調整すべく、ＵＥの信号送信電力を絶えず測定することによってもたらされた、従来技術におけるリソース消費問題は解決され、それにより、測定リソースを節約する。
【００７２】
図３は、本願発明の実施形態３に従うアップリンク電力制御方法のフローチャートである。この実施形態における方法は、以下の複数の段階を含む。
【００７３】
３１０．セルのサービスエリア内のユーザ機器ＵＥは、基地局によって送信されたセルレベルアップリンク電力パラメータを受信する。セルレベルアップリンク電力パラメータは、基地局がセルレベルアップリンク電力パラメータを調整すると決定した場合に、セルのサービスエリア内のＵＥに送信される調整済みセルレベルアップリンク電力パラメータである。基地局は、第１アクセス数及び第２アクセス数に従って、セルレベルアップリンク電力パラメータを調整するか否かを決定する。第１アクセス数は、セルのサービスエリア内の複数のＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。
【００７４】
３２０．ＵＥは、受信された調整済みセルレベルアップリンク電力パラメータに従って、アップリンク信号を送信する。
【００７５】
ＵＥが、受信された調整済みセルレベルアップリンク電力パラメータの値に従ってアップリンク信号を送信することは、以下のやり方で実装され得る。すなわち、ＵＥは、受信された調整済みセルレベルアップリンク電力パラメータの値を、アップリンク信号を送信するための電力として用いて、アップリンク信号をその電力で送信する。
【００７６】
この実施形態において提供されるアップリンク電力制御方法によると、ＵＥは、基地局によって送信された調整済みセルレベルアップリンク電力パラメータを受信して、受信された調整済みセルレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約する。
【００７７】
図４は、本願発明の実施形態４に従うアップリンク電力制御方法のフローチャートである。この実施形態における方法は、以下の複数の段階を含む。
【００７８】
４１０．基地局は、第１電力とユーザ機器ＵＥがセルにアクセスする前にランダムアクセスプリアンブルを送信する合計回数とに従って、ＵＥレベルアップリンク電力パラメータを調整するか否かを決定する。第１電力は、ＵＥが基地局のセルにアクセスする前に初回のランダムアクセスプリアンブルを送信する際の電力である。
【００７９】
第１電力とＵＥがセルにアクセスする前にランダムアクセスプリアンブルを送信する合計回数とは、ＵＥがセルにアクセスした後に、ＵＥによって基地局に報告されるデータなので、基地局は、ＵＥが信号対干渉雑音比を報告するのを待つ必要はなく、第１電力とユーザ機器ＵＥがセルにアクセスする前にランダムアクセスプリアンブルを送信する合計回数とに従って、ＵＥレベルアップリンク電力パラメータを調整するか否かを決定する。従って、測定リソースが節約される。更に、調整は、ＵＥがセルにアクセスした後に、アップリンク電力パラメータに対して実行され得て、従って、リアルタイムの調整がＵＥレベルアップリンク電力パラメータに対して実行され得る。
【００８０】
４２０．ＵＥレベルアップリンク電力パラメータを調整すると決定した場合に、基地局は、ＵＥレベルアップリンク電力パラメータを調整して、調整済みＵＥレベルアップリンク電力パラメータをＵＥに送信する。これにより、ＵＥは、調整済みＵＥレベルアップリンク電力パラメータに従って、アップリンク信号を送信する。
【００８１】
具体的には、基地局は、第１電力とユーザ機器ＵＥがセルにアクセスする前にランダムアクセスプリアンブルを送信する合計回数とに従って、ＵＥレベルアップリンク電力パラメータを調整するか否かを決定し、ＵＥレベルアップリンク電力パラメータを調整すると決定した場合に、基地局は、ＵＥレベルアップリンク電力パラメータを調整して、調整済みＵＥレベルアップリンク電力パラメータをＵＥに送信する。これにより、ＵＥは、調整済みＵＥレベルアップリンク電力パラメータに従って、アップリンク信号を送信する。
【００８２】
この実施形態において提供されるアップリンク電力制御方法によると、基地局は、第１電力とユーザ機器ＵＥがセルにアクセスする前にランダムアクセスプリアンブルを送信する合計回数とに従って、ＵＥレベルアップリンク電力パラメータを調整するか否かを決定する。ＵＥレベルアップリンク電力パラメータを調整すると決定した場合に、基地局は、ＵＥレベルアップリンク電力パラメータを調整して、調整済みＵＥレベルアップリンク電力パラメータをＵＥに送信する。これにより、ＵＥは、調整済みＵＥレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約し、ＵＥレベルアップリンク電力パラメータのリアルタイムの調整を実施する。
【００８３】
図５は、本願発明の実施形態５に従うアップリンク電力制御方法のフローチャートである。この実施形態における方法は、以下の複数の段階を含む。
【００８４】
５１０．基地局は、第１電力（Ｐ０）とＵＥがセルにアクセスする前にランダムアクセスプリアンブルを送信する合計回数（ｎ）とに従って、第２電力（Ｐ１）を計算する。ここで、Ｐ１＝Ｐ０＋（ｎ−１）×Ｓであり、Ｓは予め設定された調整ステップであり、第２電力（Ｐ１）はＵＥがセルにアクセスする前に最後のランダムアクセスプリアンブルを送信する際の電力である。
【００８５】
ＵＥ情報要求メッセージ及びＵＥ情報応答メッセージが、ＬＴＥプロトコル３６．３３１のＲｅｌｅａｓｅ  ９に導入されているので、ＵＥの無線リソース制御接続が問題なく確立された後に、ｅＮｏｄｅＢは、ＵＥにランダムアクセスプロセス情報を報告するよう要求すべく、ＵＥ情報要求メッセージを送信し、ＵＥは、ＵＥ情報応答メッセージにおいて、ＵＥが最後にセルに問題なくアクセスする前にランダムアクセスプリアンブルを送信した合計回数をフィードバックする。この実施形態では、測定データに頼るアップリンク電力制御によってもたらされた、従来技術における測定リソース消費問題を解決すべく、ＵＥに適切なアップリンク送信電力が、プリアンブルの送信回数と、ランダムアクセスプリアンブルが初回に送信される際の電力とを用いることによって推定され、ＵＥレベルアップリンク電力パラメータを調整するか否かがさらに決定される。従って、測定データに頼ることなくアップリンク電力制御が実施され、それにより、測定リソースを節約する。
【００８６】
５２０．基地局は、第２電力（Ｐ１）に従って、ＵＥレベルアップリンク電力パラメータを調整するか否かを決定する。
【００８７】
第２電力（Ｐ１）がセルレベルアップリンク電力パラメータＰｃｅｌｌと等しくない場合に、基地局は、ＵＥレベルアップリンク電力パラメータを調整すると決定する。
【００８８】
５３０．ＵＥレベルアップリンク電力パラメータを調整すると決定した場合に、基地局は、ＵＥレベルアップリンク電力パラメータを調整して、調整済みＵＥレベルアップリンク電力パラメータをＵＥに送信する。これにより、ＵＥは、調整済みＵＥレベルアップリンク電力パラメータに従って、アップリンク信号を送信する。
【００８９】
例えば、基地局がＵＥレベルアップリンク電力パラメータを調整することは、以下のやり方を用いることによって実装され得る。すなわち、基地局は、ＵＥレベルアップリンク電力パラメータの値ＰｕｅをＰｕｅ'に調整し、Ｐｕｅ'＝Ｐ１−Ｐｃｅｌｌである。
【００９０】
段階５１０から５３０は、一例を参照して本明細書で説明される。例えば、第１電力（Ｐ０）が−１０４ｄｂｍで、ＵＥが、ランダムアクセスプリアンブルを3回送信することによってセルに問題なくアクセスし、ランダムアクセスプリアンブルの設定された電力ランプステップ、つまり、予め設定された調整ステップが２ｄｂｍである場合に、２回目にランダムアクセスプリアンブルを送信する際のＵＥの電力は−１０２ｄｂｍであり、３回目にランダムアクセスプリアンブルを送信する際のＵＥの電力は−１００ｄｂｍである。従って、ＵＥは、−１０４＋２ｘ（３−１）＝−１００ｄｂｍの電力でセルにアクセスし、ＵＥ電力制御パラメータ、例えば、「ｐ０−ＵＥ−ＰＵＣＣＨ」又は「ｐ０−ＵＥ−ＰＵＳＣＨ」は、それに応じて調整され得る。「ｐ０−ＵＥ−ＰＵＣＣＨ」及び「ｐ０−ＵＥ−ＰＵＳＣＨ」を調整するための方法は同じなので、本明細書では「ｐ０−ＵＥ−ＰＵＣＣＨ」のみが説明の一例として用いられる。セルレベルアップリンク電力パラメータの現行値「ｐ０−ＮｏｍｉｎａｌＰＵＣＣＨ」は−１０５ｄｂｍであり、現行では、ＵＥに比較的適切であり、またＵＥがランダムアクセスプリアンブルを送信する回数及び第１電力（Ｐ０）に従って決定される電力が−１００ｄｂｍであることが考えられる。次に、ＵＥレベル電力パラメータ「ｐ０−ＵＥ−ＰＵＣＣＨ」は、物理的なアップリンク制御チャネルの現行の電力に適応すべく、（−１００）−（−１０５）＝５に調整される必要があり、ＵＥレベル電力パラメータは、ＵＥが信号対干渉雑音比を報告するのを待つことなく調整され得て、調整済みＵＥレベル電力パラメータ「ｐ０−ＵＥ−ＰＵＣＣＨ」は、無線リソース制御再構成メッセージを用いることによってＵＥに送られる。
【００９１】
この実施形態において提供されるアップリンク電力制御方法によると、基地局は、第１電力（Ｐ０）とＵＥがセルにアクセスする前にランダムアクセスプリアンブルを送信する合計回数（ｎ）とに従って第２電力（Ｐ１）を計算し、基地局は、第２電力（Ｐ１）に従って、ＵＥレベルアップリンク電力パラメータを調整するか否かを決定する。ＵＥレベルアップリンク電力パラメータを調整すると決定した場合に、基地局は、ＵＥレベルアップリンク電力パラメータを調整して、調整済みＵＥレベルアップリンク電力パラメータをＵＥに送信する。これにより、ＵＥは、調整済みＵＥレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約し、ＵＥレベルアップリンク電力パラメータのリアルタイムの調整を実施する。
【００９２】
図６は、本願発明の実施形態６に従うアップリンク電力制御方法のフローチャートである。この実施形態における方法は、以下の複数の段階を含む。
【００９３】
６１０．ユーザ機器ＵＥは、基地局によって送信されたＵＥレベルアップリンク電力パラメータを受信する。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とＵＥが基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。
【００９４】
６２０．ＵＥは、受信された調整済みＵＥレベルアップリンク電力パラメータに従って、アップリンク信号を送信する。
【００９５】
ＵＥが受信された調整済みＵＥレベルアップリンク電力パラメータの値に従ってアップリンク信号を送信することは、以下のやり方において実装され得る。すなわち、ＵＥは、受信された調整済みＵＥレベルアップリンク電力パラメータの値と、受信されたセルレベルアップリンク電力パラメータの値との合計を、アップリンク信号を送信するための電力として用いて、アップリンク信号をその電力で送信する。
【００９６】
セルレベルアップリンク電力パラメータは、システム情報ブロック（Ｓｙｓｔｅｍ  Ｉｎｆｏｒｍａｔｉｏｎ  Ｂｌｏｃｋ、略してＳＩＢ）２を用いることによってＵＥに送信されるので、ＳＩＢ２を用いることによって送信されたセルレベルアップリンク電力パラメータを受信した後に、ＵＥは、受信された調整済みＵＥレベルアップリンク電力パラメータと受信されたセルレベルアップリンク電力パラメータとの合計を、アップリンク信号を送信するための目標電力として用いて、アップリンク信号をその電力で送信し得ることが留意されるべきである。
【００９７】
この実施形態において提供されるアップリンク電力制御方法によると、ＵＥは、基地局によって送信された調整済みＵＥレベルアップリンク電力パラメータを受信して、受信された調整済みセルレベルアップリンク電力パラメータに従って、アップリンク信号を送信する。従って、基地局が、測定結果に従ってセルレベルアップリンク電力パラメータを調整することによってもたらされた、従来技術におけるリソース消費問題は解決され、それにより、測定リソースを節約する。
【００９８】
図７は、本願発明の実施形態７に従うアップリンク電力制御装置７００の概略構造図である。この実施形態における装置は、セルのサービスエリア内のＵＥに対してアップリンク電力制御が実行される場合に適用可能である。装置は概して、ハードウェア及び／又はソフトウェアの態様で実装される。図７を参照すると、装置は以下の複数のモジュールを含む。すなわち、電力パラメータ調整決定モジュール７１０及び電力パラメータ調整モジュール７２０である。
【００９９】
電力パラメータ調整決定モジュール７１０は、第１アクセス数及び第２アクセス数に従って、セルレベルアップリンク電力パラメータが調整されるべきか否かを決定するよう構成される。第１アクセス数は、基地局のセルのサービスエリア内の複数のユーザ機器ＵＥが、ランダムアクセスプリアンブルを１回送信することによってセルにアクセスする回数である。第２アクセス数は、セルのサービスエリア内の複数のＵＥが、ランダムアクセスプリアンブルを少なくとも２回送信することによってセルにアクセスする回数である。また電力パラメータ調整モジュール７２０は、セルレベルアップリンク電力パラメータを調整することが決定された場合に、セルレベルアップリンク電力パラメータを調整して、セルのサービスエリア内のＵＥに調整済みセルレベルアップリンク電力パラメータを送信するよう構成される。これにより、セルのサービスエリア内のＵＥは、調整済みセルレベルアップリンク電力パラメータに従って、アップリンク信号を送信する。
【０１００】
さらに、電力パラメータ調整決定モジュール７１０は、第１アクセス数と第２アクセス数との比に従って、セルレベルアップリンク電力パラメータが調整されるべきか否かを決定するよう特に構成される。
【０１０１】
さらに、電力パラメータ調整決定モジュール７１０は、第１アクセス数（ａ）及び第２アクセス数（ｂ）に従って、ｘ＝ａ／（ａ＋ｂ）である比（ｘ）を計算して、比（ｘ）が予め設定された第１閾値より大きい又はこれと等しい場合に、セルレベルアップリンク電力パラメータが調整されるべきと決定するよう特に構成される。また電力パラメータ調整モジュール７２０は、セルレベルアップリンク電力パラメータの値を減少させるよう特に構成される。
【０１０２】
さらに、電力パラメータ調整モジュール７２０は、セルレベルアップリンク電力パラメータの値を予め設定された第１調整ステップずつ減少させるよう特に構成される。
【０１０３】
さらに、電力パラメータ調整決定モジュール７２０は、第１アクセス数（ａ）及び第２アクセス数（ｂ）に従って、ｙ＝ｂ／（ａ＋ｂ）である比（ｙ）を計算して、比（ｙ）が予め設定された第２閾値より大きい又はこれと等しい場合に、セルレベルアップリンク電力パラメータが調整されるべきと決定するよう特に構成される。また基地局調整モジュール７２０は、セルレベルアップリンク電力パラメータの値を増加させるようさらに特に構成される。
【０１０４】
さらに、基地局調整モジュール７２０は、セルレベルアップリンク電力パラメータの値を予め設定された第２調整ステップずつ増加させるよう特に構成される。
【０１０５】
この実施形態において提供されるアップリンク電力制御装置によると、第１アクセス数及び第２アクセス数に従って、セルレベルアップリンク電力パラメータを調整するか否かが決定され、セルレベルアップリンク電力パラメータを調整することが決定された場合に、セルレベルアップリンク電力パラメータが調整されて、調整済みセルレベルアップリンク電力パラメータがセルのサービスエリア内のＵＥに送信される。これにより、セルのサービスエリア内のＵＥは、調整済みセルレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約する。
【０１０６】
図８は、本願発明の実施形態８に従うアップリンク電力制御装置８００の概略構造図である。図８を参照すると、装置は以下の複数のモジュールを含む。すなわち、電力パラメータ受信モジュール８１０及びアップリンク信号送信モジュール８２０である。
【０１０７】
電力パラメータ受信モジュール８１０は、基地局によって送信されたセルレベルアップリンク電力パラメータを受信するよう構成される。セルレベルアップリンク電力パラメータは、基地局がセルレベルアップリンク電力パラメータを調整すると決定した場合に、セルのサービスエリア内のＵＥに送信される調整済みセルレベルアップリンク電力パラメータである。基地局は、第１アクセス数及び第２アクセス数に従って、セルレベルアップリンク電力パラメータを調整するか否かを決定する。第１アクセス数は、基地局のセルのサービスエリア内の複数のＵＥが、ランダムアクセスプリアンブルを１回送信することによってセルにアクセスする回数である。第２アクセス数は、セルのサービスエリア内の複数のＵＥが、ランダムアクセスプリアンブルを少なくとも２回送信することによってセルにアクセスする回数である。またアップリンク信号送信モジュール８２０は、受信された調整済みセルレベルアップリンク電力パラメータに従って、アップリンク信号を送信するよう構成される。
【０１０８】
さらに、アップリンク信号送信モジュール８２０は、受信された調整済みセルレベルアップリンク電力パラメータを、アップリンク信号を送信するための電力として用いて、アップリンク信号をその電力で送信するよう特に構成される。
【０１０９】
この実施形態において提供されるアップリンク電力制御装置によると、基地局によって送信された調整済みＵＥレベルアップリンク電力パラメータが受信され、受信された調整済みセルレベルアップリンク電力パラメータに従って、アップリンク信号が送信される。従って、基地局が測定結果に従ってセルレベルアップリンク電力パラメータを調整することによってもたらされた、従来技術におけるリソース消費問題は解決され、それにより、測定リソースを節約する。
【０１１０】
図７を参照すると、この実施形態において提供されるアップリンク電力制御装置の概略構造図は、図７と同じである。この実施形態では、電力パラメータ調整決定モジュールは、第１電力とユーザ機器ＵＥがセルにアクセスする前にランダムアクセスプリアンブルを送信する合計回数とに従って、ＵＥレベルアップリンク電力パラメータが調整されるべきか否かを決定するよう構成される。第１電力は、ＵＥが基地局のセルにアクセスする前に初回のランダムアクセスプリアンブルを送信する際の電力である。また電力パラメータ調整モジュールは、ＵＥレベルアップリンク電力パラメータを調整することが決定された場合に、ＵＥレベルアップリンク電力パラメータを調整して、調整済みＵＥレベルアップリンク電力パラメータをＵＥに送信するよう構成される。これにより、ＵＥは、調整済みＵＥレベルアップリンク電力パラメータに従って、アップリンク信号を送信する。
【０１１１】
さらに、電力パラメータ調整決定モジュールは、第１電力（Ｐ０）とＵＥがセルにアクセスする前にランダムアクセスプリアンブルを送信する合計回数（ｎ）とに従って第２電力（Ｐ１）を計算し、第２電力（Ｐ１）に従って、ＵＥレベルアップリンク電力パラメータが調整されるべきか否かを決定するよう特に構成される。ここで、Ｐ１＝Ｐ０＋（ｎ−１）×Ｓであり、Ｓは予め設定された調整ステップであり、第２電力（Ｐ１）はＵＥがセルにアクセスする前に最後のランダムアクセスプリアンブルを送信する際の電力である。
【０１１２】
さらに、電力パラメータ調整決定モジュールは、第２電力（Ｐ１）がセルレベルアップリンク電力パラメータＰｃｅｌｌと等しくない場合に、基地局によって、ＵＥレベルアップリンク電力パラメータが調整されるべきと決定するよう特に構成される。また電力パラメータ調整モジュールは、ＵＥレベルアップリンク電力パラメータの値ＰｕｅをＰｕｅ'に調整するよう特に構成され、Ｐｕｅ'＝Ｐ１−Ｐｃｅｌｌである。
【０１１３】
この実施形態において提供されるアップリンク電力制御装置によると、第１電力とユーザ機器ＵＥがセルにアクセスする前にランダムアクセスプリアンブルを送信する合計回数とに従って、ＵＥレベルアップリンク電力パラメータを調整するか否かが決定される。ＵＥレベルアップリンク電力パラメータを調整することが決定された場合に、ＵＥレベルアップリンク電力パラメータは調整され、調整済みＵＥレベルアップリンク電力パラメータがＵＥに送信される。これにより、ＵＥは、調整済みＵＥレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約し、ＵＥレベルアップリンク電力パラメータのリアルタイムの調整を実施する。
【０１１４】
図８を参照すると、この実施形態において提供されるアップリンク電力制御装置の概略構造図は図８と同じである。この実施形態では、電力パラメータ受信モジュールは、基地局によって送信されたＵＥレベルアップリンク電力パラメータを受信するよう構成される。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とユーザ機器ＵＥが基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。またアップリンク信号送信モジュールは、受信された調整済みＵＥレベルアップリンク電力パラメータに従って、アップリンク信号を送信するよう構成される。
【０１１５】
さらに、アップリンク信号送信モジュールは、受信された調整済みＵＥレベルアップリンク電力パラメータと受信されたセルレベルアップリンク電力パラメータとの合計を、アップリンク信号を送信するための電力として用いて、アップリンク信号をその電力で送信するよう特に構成される。
【０１１６】
この実施形態において提供されるアップリンク電力制御装置によると、基地局によって送信された調整済みＵＥレベルアップリンク電力パラメータが受信され、受信された調整済みセルレベルアップリンク電力パラメータに従って、アップリンク信号が送信される。従って、基地局が測定結果に従ってセルレベルアップリンク電力パラメータを調整することによってもたらされた、従来技術におけるリソース消費問題は解決され、それにより、測定リソースを節約し、ＵＥレベルアップリンク電力パラメータのリアルタイムの調整を実施する。
【０１１７】
図９は、本願発明の実施形態９に従うアップリンク電力制御装置９００の概略構造図である。図９を参照すると、装置はプロセッサ９１０及び送信機９２０を含む。
【０１１８】
プロセッサ９１０は、第１アクセス数及び第２アクセス数に従って、セルレベルアップリンク電力パラメータが調整されるべきか否かを決定するよう構成される。第１アクセス数は、基地局のセルのサービスエリア内の複数のユーザ機器ＵＥが、ランダムアクセスプリアンブルを１回送信することによってセルにアクセスする回数である。第２アクセス数は、セルのサービスエリア内の複数のＵＥが、ランダムアクセスプリアンブルを少なくとも２回送信することによってセルにアクセスする回数である。また送信機９２０は、セルレベルアップリンク電力パラメータを調整することが決定された場合に、セルレベルアップリンク電力パラメータを調整して、セルのサービスエリア内のＵＥに調整済みセルレベルアップリンク電力パラメータを送信するよう構成される。これにより、セルのサービスエリア内のＵＥは、調整済みセルレベルアップリンク電力パラメータに従って、アップリンク信号を送信する。
【０１１９】
さらに、プロセッサ９１０は、第１アクセス数と第２アクセス数との比に従って、セルレベルアップリンク電力パラメータが調整されるべきか否かを決定するよう特に構成される。
【０１２０】
さらに、プロセッサ９１０は、第１アクセス数（ａ）と第２アクセス数（ｂ）との比（ｘ）を、ｘ＝ａ／（ａ＋ｂ）として計算し、比（ｘ）が予め設定された第１閾値より大きい又はこれと等しい場合に、セルレベルアップリンク電力パラメータが調整されるべきと決定するよう特に構成される。また送信機９２０は、セルレベルアップリンク電力パラメータの値を減少させるよう特に構成される。
【０１２１】
さらに、送信機９２０は、セルレベルアップリンク電力パラメータの値を予め設定された第１調整ステップずつ減少させるよう特に構成される。
【０１２２】
さらに、プロセッサ９１０は、第１アクセス数（ａ）と第２アクセス数（ｂ）との比（ｙ）を、ｙ＝ｂ／（ａ＋ｂ）として計算し、比（ｙ）が予め設定された第２閾値より大きい又はこれと等しい場合に、セルレベルアップリンク電力パラメータが調整されるべきと決定するよう特に構成される。また送信機９２０は、セルレベルアップリンク電力パラメータの値を増加させるよう特に構成される。
【０１２３】
さらに、送信機９２０は、セルレベルアップリンク電力パラメータの値を予め設定された第２調整ステップずつ増加させるよう特に構成される。
【０１２４】
この実施形態において提供されるアップリンク電力制御装置によると、第１アクセス数及び第２アクセス数に従って、セルレベルアップリンク電力パラメータを調整するか否かが決定される。セルレベルアップリンク電力パラメータを調整することが決定された場合に、セルレベルアップリンク電力パラメータが調整されて、調整済みセルレベルアップリンク電力パラメータがセルのサービスエリア内のＵＥに送信される。これにより、セルのサービスエリア内のＵＥは、調整済みセルレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約する。
【０１２５】
図１０は、本願発明の実施形態１０に従うアップリンク電力制御装置１０００の概略構造図である。図１０を参照すると、装置は受信機１０１０及び送信機１０２０を含む。
【０１２６】
受信機１０１０は、基地局によって送信されたセルレベルアップリンク電力パラメータを受信するよう構成される。セルレベルアップリンク電力パラメータは、基地局がセルレベルアップリンク電力パラメータを調整すると決定した場合に、セルのサービスエリア内のＵＥに送信される調整済みセルレベルアップリンク電力パラメータである。基地局は、第１アクセス数及び第２アクセス数に従って、セルレベルアップリンク電力パラメータを調整するか否かを決定する。第１アクセス数は、基地局のセルのサービスエリア内の複数のＵＥが、ランダムアクセスプリアンブルを１回送信することによってセルにアクセスする回数である。第２アクセス数は、セルのサービスエリア内の複数のＵＥが、ランダムアクセスプリアンブルを少なくとも２回送信することによってセルにアクセスする回数である。また送信機１０２０は、受信された調整済みセルレベルアップリンク電力パラメータに従って、アップリンク信号を送信するよう構成される。
【０１２７】
さらに、送信機１０２０は、受信された調整済みセルレベルアップリンク電力パラメータを、アップリンク信号を送信するための電力として用いて、アップリンク信号をその電力で送信するよう特に構成される。
【０１２８】
この実施形態において提供されるアップリンク電力制御装置によると、基地局によって送信された調整済みＵＥレベルアップリンク電力パラメータが受信され、受信された調整済みセルレベルアップリンク電力パラメータに従って、アップリンク信号が送信される。従って、基地局が測定結果に従ってセルレベルアップリンク電力パラメータを調整することによってもたらされた、従来技術におけるリソース消費問題は解決され、それにより、測定リソースを節約する。
【０１２９】
図９を参照すると、この実施形態において提供されるアップリンク電力制御装置の概略構造図は図９と同じである。この実施形態では、プロセッサは、第１電力とユーザ機器ＵＥがセルにアクセスする前にランダムアクセスプリアンブルを送信する合計回数とに従って、ＵＥレベルアップリンク電力パラメータが調整されるべきか否かを決定するよう構成される。第１電力は、ＵＥが基地局のセルにアクセスする前に初回のランダムアクセスプリアンブルを送信する際の電力である。また送信機は、ＵＥレベルアップリンク電力パラメータを調整することが決定された場合に、ＵＥレベルアップリンク電力パラメータを調整して、調整済みＵＥレベルアップリンク電力パラメータをＵＥに送信するよう構成される。これにより、ＵＥは、調整済みＵＥレベルアップリンク電力パラメータに従って、アップリンク信号を送信する。
【０１３０】
さらに、プロセッサは、第１電力（Ｐ０）とＵＥがセルにアクセスする前にランダムアクセスプリアンブルを送信する合計回数（ｎ）とに従って第２電力（Ｐ１）を計算し、第２電力（Ｐ１）に従って、ＵＥレベルアップリンク電力パラメータが調整されるべきか否かを決定するよう特に構成される。ここで、Ｐ１＝Ｐ０＋（ｎ−１）×Ｓであり、Ｓは予め設定された調整ステップであり、第２電力（Ｐ１）はＵＥがセルにアクセスする前に最後のランダムアクセスプリアンブルを送信する際の電力である。
【０１３１】
さらに、プロセッサは、第２電力（Ｐ１）がセルレベルアップリンク電力パラメータＰｃｅｌｌと等しくない場合に、基地局によって、ＵＥレベルアップリンク電力パラメータが調整されるべきと決定するよう特に構成される。また送信機は、ＵＥレベルアップリンク電力パラメータの値ＰｕｅをＰｕｅ'に調整するよう特に構成され、Ｐｕｅ'＝Ｐ１−Ｐｃｅｌｌである。
【０１３２】
この実施形態において提供されるアップリンク電力制御装置によると、第１電力とユーザ機器ＵＥがセルにアクセスする前にランダムアクセスプリアンブルを送信する合計回数とに従って、ＵＥレベルアップリンク電力パラメータを調整するか否かが決定される。ＵＥレベルアップリンク電力パラメータを調整することが決定された場合に、ＵＥレベルアップリンク電力パラメータは調整され、調整済みＵＥレベルアップリンク電力パラメータがＵＥに送信される。これにより、ＵＥは、調整済みＵＥレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約し、ＵＥレベルアップリンク電力パラメータのリアルタイムの調整を実施する。
【０１３３】
図１０を参照すると、この実施形態において提供されるアップリンク電力制御装置の概略構造図は図１０と同じである。この実施形態では、受信機は、基地局によって送信されたＵＥレベルアップリンク電力パラメータを受信するよう構成される。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とユーザ機器ＵＥが基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。また送信機は、受信された調整済みＵＥレベルアップリンク電力パラメータに従って、アップリンク信号を送信するよう構成される。
【０１３４】
さらに、送信機は、受信された調整済みＵＥレベルアップリンク電力パラメータと受信されたセルレベルアップリンク電力パラメータとの合計を、アップリンク信号を送信するための電力として用いて、アップリンク信号をその電力で送信するよう特に構成される。
【０１３５】
この実施形態において提供されるアップリンク電力制御装置によると、基地局によって送信された調整済みＵＥレベルアップリンク電力パラメータが受信され、受信された調整済みセルレベルアップリンク電力パラメータに従って、アップリンク信号が送信される。従って、基地局が測定結果に従ってセルレベルアップリンク電力パラメータを調整することによってもたらされた、従来技術におけるリソース消費問題は解決され、それにより、測定リソースを節約し、ＵＥレベルアップリンク電力パラメータのリアルタイムの調整を実施する。
【０１３６】
当業者は、方法の実施形態の全て又は一部の段階が、適切なハードウェアに命令するプログラムによって実装され得ることを理解し得る。先述のプログラムは、コンピュータ可読記憶媒体に格納され得る。プログラムが起動すると、方法の複数の実施形態の複数の段階が実行される。先述の記憶媒体には、ＲＯＭ、ＲＡＭ、磁気ディスク、又は光ディスクなど、プログラムコードを格納し得るあらゆる媒体が含まれる。 
【０１３７】
最後に、先述の複数の実施形態は、単に本願発明の複数の技術的解決法の説明を意図するものであり、本願発明の制限を意図するものではないことが留意されるべきである。本願発明は、先述の複数の実施形態を参照して詳細に説明されているが、当業者はそれでも、先述の複数の実施形態において説明された複数の技術的解決法に対する複数の変更例、又はこれらの技術的特徴の一部又は全てに対する等価な置換例を、本願発明の複数の実施形態の複数の技術的解決法の範囲から逸脱することなく作成し得ることを、当業者は理解すべきである。
【図１】
2016538764.tif 000003
【図２】
2016538764.tif 000004
【図３】
2016538764.tif 000005
【図４】
2016538764.tif 000006
【図５】
2016538764.tif 000007
【図６】
2016538764.tif 000008
【図７】
2016538764.tif 000009
【図８】
2016538764.tif 000010
【図９】
2016538764.tif 000011
【図１０】
2016538764.tif 000012
【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
アップリンク電力制御方法であって、  第１アクセス数及び第２アクセス数に従って、基地局によって、セルレベルアップリンク電力パラメータを調整するか否かを決定する段階であって、  前記第１アクセス数は、前記基地局のセルのサービスエリア内の複数のユーザ機器（ＵＥ）がランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数である、決定する段階と、  前記セルレベルアップリンク電力パラメータを調整すると決定した場合に、前記基地局によって、前記セルレベルアップリンク電力パラメータを調整する段階と、 前記基地局によって、調整済みセルレベルアップリンク電力パラメータを前記セルの前記サービスエリア内のＵＥに送信する段階とを、  備える、  方法。
【請求項２】
前記セルレベルアップリンク電力パラメータを調整するか否かを決定する前記段階は、  前記第１アクセス数と前記第２アクセス数との比に従って、前記基地局によって、前記セルレベルアップリンク電力パラメータを調整するか否かを決定する段階を有する、  請求項１に記載の方法。
【請求項３】
前記セルレベルアップリンク電力パラメータを調整するか否かを決定する前記段階は、  前記基地局によって、前記第１アクセス数（ａ）及び前記第２アクセス数（ｂ）に従って、ｘ＝ａ／（ａ＋ｂ）である前記比（ｘ）を計算する段階と、  前記比（ｘ）が予め設定された第１閾値より大きい又はこれと等しい場合に、前記基地局によって前記セルレベルアップリンク電力パラメータを調整すると決定する段階とを、  有し、 前記セルレベルアップリンク電力パラメータを調整する前記段階は、  前記基地局によって前記セルレベルアップリンク電力パラメータの値を減少させる段階を有する、  請求項２に記載の方法。
【請求項４】
前記セルレベルアップリンク電力パラメータの前記値を減少させる前記段階は、  前記基地局によって、前記セルレベルアップリンク電力パラメータの前記値を予め設定された第１調整ステップずつ減少させる段階を有する、  請求項３に記載の方法。
【請求項５】
前記セルレベルアップリンク電力パラメータを調整するか否かを決定する前記段階は、  前記基地局によって、前記第１アクセス数（ａ）及び前記第２アクセス数（ｂ）に従って、ｙ＝ｂ／（ａ＋ｂ）である前記比（ｙ）を計算する段階と、  前記比（ｙ）が予め設定された第２閾値より大きい又はこれと等しい場合に、前記基地局によって前記セルレベルアップリンク電力パラメータを調整すると決定する段階とを、  有し、 前記セルレベルアップリンク電力パラメータを調整する前記段階は、  前記基地局によって前記セルレベルアップリンク電力パラメータの値を増加させる段階を有する、  請求項２に記載の方法。
【請求項６】
前記セルレベルアップリンク電力パラメータの前記値を増加させる前記段階は、  前記基地局によって、前記セルレベルアップリンク電力パラメータの前記値を予め設定された第２調整ステップずつ増加させる段階を有する、  請求項５に記載の方法。
【請求項７】
アップリンク電力制御方法であって、  基地局によって送信された調整済みセルレベルアップリンク電力パラメータをユーザ機器（ＵＥ）によって受信する段階と、  前記ＵＥによって、前記調整済みセルレベルアップリンク電力パラメータの値に従って、アップリンク信号を送信する段階とを、  備え、  前記調整済みセルレベルアップリンク電力パラメータは、前記基地局がセルレベルアップリンク電力パラメータを調整すると決定した場合に、セルのサービスエリア内の前記ＵＥに送信され、前記基地局は、第１アクセス数及び第２アクセス数に従って、前記セルレベルアップリンク電力パラメータを調整するか否かを決定し、  前記第１アクセス数は、前記セルの前記サービスエリア内の複数のＵＥがランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数である、  方法。
【請求項８】
前記調整済みセルレベルアップリンク電力パラメータの前記値に従って、前記アップリンク信号を送信する前記段階は、  前記ＵＥによって、前記調整済みセルレベルアップリンク電力パラメータの前記値を、前記アップリンク信号を送信するための電力として用いて、前記アップリンク信号を前記電力で送信する段階を有する、  請求項７に記載の方法。
【請求項９】
アップリンク電力制御方法であって、  第１電力と、ユーザ機器（ＵＥ）がセルにアクセスする前にランダムアクセスプリアンブルを送信する合計回数とに従って、基地局によって、ＵＥレベルアップリンク電力パラメータを調整するか否かを決定する段階であって、前記第１電力は、前記ＵＥが前記基地局の前記セルにアクセスする前に初回のランダムアクセスプリアンブルを送信する際の電力である、決定する段階と、  前記ＵＥレベルアップリンク電力パラメータを調整すると決定した場合、前記基地局によって、前記ＵＥレベルアップリンク電力パラメータを調整する段階と、 前記基地局によって、調整済みＵＥレベルアップリンク電力パラメータを前記ＵＥに送信する段階とを、  備える方法。
【請求項１０】
前記ＵＥレベルアップリンク電力パラメータを調整するか否かを決定する前記段階は、  前記基地局によって、前記第１電力（Ｐ０）と、前記ＵＥが前記セルにアクセスする前に前記ランダムアクセスプリアンブルを送信する前記合計回数（ｎ）とに従って、第２電力（Ｐ１）を計算する段階と、  前記第２電力（Ｐ１）に従って前記基地局によって、前記ＵＥレベルアップリンク電力パラメータを調整するか否かを決定する段階とを、  有し、  Ｐ１＝Ｐ０＋（ｎ−１）×Ｓであり、Ｓは予め設定された調整ステップであり、前記第２電力（Ｐ１）は前記ＵＥが前記セルにアクセスする前に最後のランダムアクセスプリアンブルを送信する際の電力である、  請求項９に記載の方法。
【請求項１１】
前記ＵＥレベルアップリンク電力パラメータを調整するか否かを決定する前記段階は、  前記第２電力（Ｐ１）がセルレベルアップリンク電力パラメータＰｃｅｌｌと等しくない場合に、前記基地局によって前記ＵＥレベルアップリンク電力パラメータを調整すると決定する段階を有し、 前記ＵＥレベルアップリンク電力パラメータを調整する前記段階は、  前記基地局によって前記ＵＥレベルアップリンク電力パラメータの値ＰｕｅをＰｕｅ'に調整する段階を有し、Ｐｕｅ'＝Ｐ１−Ｐｃｅｌｌである、  請求項１０に記載の方法。
【請求項１２】
アップリンク電力制御方法であって、  ユーザ機器（ＵＥ）によって、基地局により送信された調整済みＵＥレベルアップリンク電力パラメータを受信する段階と、  前記ＵＥによって、前記調整済みＵＥレベルアップリンク電力パラメータの値に従って、アップリンク信号を送信する段階とを、  備え、  前記調整済みＵＥレベルアップリンク電力パラメータは、前記基地局がＵＥレベルアップリンク電力パラメータを調整すると決定した場合に、前記ＵＥに送信され、  第１電力と、前記ＵＥが前記基地局のセルにアクセスする前にランダムアクセスプリアンブルを送信する合計回数とに従って、前記基地局は前記ＵＥレベルアップリンク電力パラメータを調整するか否かを決定し、  前記第１電力は、前記ＵＥが前記セルにアクセスする前に初回のランダムアクセスプリアンブルを送信する際の電力である、  方法。
【請求項１３】
前記調整済みＵＥレベルアップリンク電力パラメータの前記値に従って、前記アップリンク信号を送信する前記段階は、  前記ＵＥによって、前記調整済みＵＥレベルアップリンク電力パラメータの前記値と、受信されたセルレベルアップリンク電力パラメータの値との合計を、前記アップリンク信号を送信するための電力として用いて前記アップリンク信号を前記電力で送信する段階を有する、  請求項１２に記載の方法。
【請求項１４】
基地局の中に設置されたアップリンク電力制御装置であって、  第１アクセス数及び第２アクセス数に従って、セルレベルアップリンク電力パラメータが調整されるべきか否かを決定する電力パラメータ調整決定モジュールであって、前記第１アクセス数は、前記基地局のセルのサービスエリア内の複数のユーザ機器（ＵＥ）がランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数である、電力パラメータ調整決定モジュールと、  前記セルレベルアップリンク電力パラメータを調整することが決定された場合に、前記セルレベルアップリンク電力パラメータを調整して、調整済みセルレベルアップリンク電力パラメータを前記セルの前記サービスエリア内のＵＥに送信する電力パラメータ調整モジュールとを、  備える、  装置。
【請求項１５】
前記電力パラメータ調整決定モジュールは、前記第１アクセス数と前記第２アクセス数との比に従って、前記セルレベルアップリンク電力パラメータが調整されるべきか否かを決定する、  請求項１４に記載の装置。
【請求項１６】
前記電力パラメータ調整決定モジュールは、前記第１アクセス数（ａ）及び前記第２アクセス数（ｂ）に従って、ｘ＝ａ／（ａ＋ｂ）である前記比（ｘ）を計算し、  前記比（ｘ）が予め設定された第１閾値より大きい又はこれと等しい場合に、前記セルレベルアップリンク電力パラメータが調整されるべきであると決定し、  前記電力パラメータ調整モジュールは、前記セルレベルアップリンク電力パラメータの値を減少させる、  請求項１５に記載の装置。
【請求項１７】
前記電力パラメータ調整モジュールは、前記セルレベルアップリンク電力パラメータの前記値を予め設定された第１調整ステップずつ減少させる、  請求項１６に記載の装置。
【請求項１８】
前記電力パラメータ調整決定モジュールは、前記第１アクセス数（ａ）及び前記第２アクセス数（ｂ）に従って、ｙ＝ｂ／（ａ＋ｂ）である前記比（ｙ）を計算し、  前記比（ｙ）が予め設定された第２閾値より大きい又はこれと等しい場合に、前記セルレベルアップリンク電力パラメータが調整されるべきであると決定し、  前記電力パラメータ調整モジュールは、前記セルレベルアップリンク電力パラメータの値を増加させる、  請求項１５に記載の装置。
【請求項１９】
前記電力パラメータ調整モジュールは、前記セルレベルアップリンク電力パラメータの前記値を予め設定された第２調整ステップずつ増加させる、  請求項１８に記載の装置。
【請求項２０】
ユーザ機器（ＵＥ）の中に設置されたアップリンク電力制御装置であって、  基地局によって送信された調整済みセルレベルアップリンク電力パラメータを受信する電力パラメータ受信モジュールと、 前記調整済みセルレベルアップリンク電力パラメータの値に従って、アップリンク信号を送信するアップリンク信号送信モジュールとを、  備え、  前記調整済みセルレベルアップリンク電力パラメータは、前記基地局がセルレベルアップリンク電力パラメータを調整すると決定した場合に、セルのサービスエリア内の前記ＵＥに送信され、  前記基地局は、第１アクセス数及び第２アクセス数に従って、前記セルレベルアップリンク電力パラメータを調整するか否かを決定し、前記第１アクセス数は、前記基地局の前記セルの前記サービスエリア内の複数のＵＥがランダムアクセスプリアンブルを１回送信することによって前記セルにアクセスする回数であり、前記第２アクセス数は、前記セルの前記サービスエリア内の前記複数のＵＥがランダムアクセスプリアンブルを少なくとも２回送信することによって前記セルにアクセスする回数である、  装置。
【請求項２１】
前記アップリンク信号送信モジュールは、前記調整済みセルレベルアップリンク電力パラメータの前記値を、前記アップリンク信号を送信するための電力として用いて前記アップリンク信号を前記電力で送信する、  請求項２０に記載の装置。
【請求項２２】
基地局の中に設置されたアップリンク電力制御装置であって、  第１電力と、ユーザ機器（ＵＥ）がセルにアクセスする前にランダムアクセスプリアンブルを送信する合計回数とに従って、ＵＥレベルアップリンク電力パラメータが調整されるべきか否かを決定する電力パラメータ調整決定モジュールであって、前記第１電力は、前記ＵＥが前記基地局の前記セルにアクセスする前に初回のランダムアクセスプリアンブルを送信する際の電力である、電力パラメータ調整決定モジュールと、  前記ＵＥレベルアップリンク電力パラメータを調整することが決定された場合に、前記ＵＥレベルアップリンク電力パラメータを調整して、調整済みＵＥレベルアップリンク電力パラメータを前記ＵＥに送信する電力パラメータ調整モジュールとを、  備える、  装置。
【請求項２３】
前記電力パラメータ調整決定モジュールは、  前記第１電力（Ｐ０）と、前記ＵＥが前記セルにアクセスする前に前記ランダムアクセスプリアンブルを送信する前記合計回数（ｎ）とに従って、第２電力（Ｐ１）を計算し、  前記第２電力（Ｐ１）に従って、前記ＵＥレベルアップリンク電力パラメータが調整されるべきか否かを決定し、  Ｐ１＝Ｐ０＋（ｎ−１）×Ｓであり、Ｓは予め設定された調整ステップであり、前記第２電力（Ｐ１）は前記ＵＥが前記セルにアクセスする前に最後のランダムアクセスプリアンブルを送信する際の電力である、  請求項２２に記載の装置。
【請求項２４】
前記電力パラメータ調整決定モジュールは、前記第２電力（Ｐ１）がセルレベルアップリンク電力パラメータＰｃｅｌｌと等しくない場合に、前記ＵＥレベルアップリンク電力パラメータが調整されるべきであると決定し、  前記電力パラメータ調整モジュールは、前記ＵＥレベルアップリンク電力パラメータの値ＰｕｅをＰｕｅ'に調整し、Ｐｕｅ'＝Ｐ１−Ｐｃｅｌｌである、  請求項２３に記載の装置。
【請求項２５】
ユーザ機器（ＵＥ）の中に設置されたアップリンク電力制御装置であって、  基地局によって送信された調整済みＵＥレベルアップリンク電力パラメータを受信する電力パラメータ受信モジュールと、 前記調整済みＵＥレベルアップリンク電力パラメータの値に従って、アップリンク信号を送信するアップリンク信号送信モジュールとを、  備え、  前記調整済みＵＥレベルアップリンク電力パラメータは、前記基地局がＵＥレベルアップリンク電力パラメータを調整すると決定した場合に、前記ＵＥに送信され、  第１電力と、前記ＵＥが前記基地局のセルにアクセスする前にランダムアクセスプリアンブルを送信する合計回数とに従って、前記基地局は前記ＵＥレベルアップリンク電力パラメータを調整するか否かを決定し、  前記第１電力は、前記ＵＥが前記セルにアクセスする前に初回のランダムアクセスプリアンブルを送信する際の電力である、  装置。
【請求項２６】
前記アップリンク信号送信モジュールは、前記調整済みＵＥレベルアップリンク電力パラメータの前記値と、受信されたセルレベルアップリンク電力パラメータの値との合計を、前記アップリンク信号を送信するための電力として用いて前記アップリンク信号を前記電力で送信する、  請求項２５に記載の装置。
【請求項２７】
請求項１から１３の何れか一項に記載の方法をコンピュータに実行させる、  プログラム。
【手続補正２】
【補正対象書類名】明細書
【補正対象項目名】０００５
【補正方法】変更
【補正の内容】
【０００５】  第１態様に従って、本願発明の一実施形態は、以下の段階を含むアップリンク電力制御方法を提供する。すなわち、第１アクセス数及び第２アクセス数に従って、基地局によって、セルレベルアップリンク電力パラメータを調整するか否かを決定する段階である。第１アクセス数は、基地局のセルのサービスエリア内の複数のユーザ機器（ＵＥ）がランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。そして、セルレベルアップリンク電力パラメータを調整すると決定した場合に、基地局によって、セルレベルアップリンク電力パラメータを調整して、調整済みセルレベルアップリンク電力パラメータをセルのサービスエリア内のＵＥに送信する段階である。これにより、セルのサービスエリア内のＵＥは、調整済みセルレベルアップリンク電力パラメータに従ってアップリンク信号を送信する。
【手続補正３】
【補正対象書類名】明細書
【補正対象項目名】００１１
【補正方法】変更
【補正の内容】
【００１１】  第２態様に従って、本願発明の一実施形態は、以下の段階を含むアップリンク電力制御方法を提供する。すなわち、基地局によって送信されたセルレベルアップリンク電力パラメータを、セルのサービスエリア内のユーザ機器（ＵＥ）によって受信する段階である。セルレベルアップリンク電力パラメータは、基地局がセルレベルアップリンク電力パラメータを調整すると決定した場合に、セルのサービスエリア内のＵＥに送信される調整済みセルレベルアップリンク電力パラメータである。基地局は、第１アクセス数及び第２アクセス数に従って、セルレベルアップリンク電力パラメータを調整するか否かを決定する。第１アクセス数は、セルのサービスエリア内の複数のＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。そして、ＵＥによって、受信された調整済みセルレベルアップリンク電力パラメータの値に従って、アップリンク信号を送信する段階である。
【手続補正４】
【補正対象書類名】明細書
【補正対象項目名】００１３
【補正方法】変更
【補正の内容】
【００１３】  第３態様に従って、本願発明の一実施形態は、以下の段階を含むアップリンク電力制御方法を提供する。すなわち、第１電力とユーザ機器（ＵＥ）がセルにアクセスする前にランダムアクセスプリアンブルを送信する合計回数とに従って、基地局によって、ＵＥレベルアップリンク電力パラメータを調整するか否かを決定する段階である。第１電力は、ＵＥが基地局のセルにアクセスする前に初回のランダムアクセスプリアンブルを送信する際の電力である。そして、ＵＥレベルアップリンク電力パラメータを調整すると決定した場合に、基地局によって、ＵＥレベルアップリンク電力パラメータを調整して、調整済みＵＥレベルアップリンク電力パラメータをＵＥに送信する段階である。これにより、ＵＥは調整済みＵＥレベルアップリンク電力パラメータに従って、アップリンク信号を送信する。
【手続補正５】
【補正対象書類名】明細書
【補正対象項目名】００１４
【補正方法】変更
【補正の内容】
【００１４】  第３態様の第１の可能な実施例では、第１電力とユーザ機器（ＵＥ）がセルにアクセスする前にランダムアクセスプリアンブルを送信する合計回数とに従って、基地局によって、ＵＥレベルアップリンク電力パラメータを調整するか否かを決定する段階は、以下の段階を含む。すなわち、基地局によって、第１電力（Ｐ０）とＵＥがセルにアクセスする前にランダムアクセスプリアンブルを送信する合計回数（ｎ）とに従って、第２電力（Ｐ１）を計算する段階であり、Ｐ１＝Ｐ０＋（ｎ−１）×Ｓであり、Ｓは予め設定された調整ステップであり、第２電力（Ｐ１）はＵＥがセルにアクセスする前に最後のランダムアクセスプリアンブルを送信する際の電力である。そして、第２電力（Ｐ１）に従って、基地局によって、ＵＥレベルアップリンク電力パラメータを調整するか否かを決定する段階である。
【手続補正６】
【補正対象書類名】明細書
【補正対象項目名】００１５
【補正方法】変更
【補正の内容】
【００１５】  第３態様の第１の可能な実装態様に従って、第２の可能な実施例では、第２電力（Ｐ１）に従って、基地局によってＵＥレベルアップリンク電力パラメータを調整するか否かを決定する段階は、以下の段階を含む。すなわち、第２電力（Ｐ１）がセルレベルアップリンク電力パラメータＰｃｅｌｌと等しくない場合に、基地局によって、ＵＥレベルアップリンク電力パラメータを調整すると決定する段階である。そして、基地局によって、ＵＥレベルアップリンク電力パラメータを調整する段階は、以下の段階を含む。すなわち、基地局によって、ＵＥレベルアップリンク電力パラメータの値ＰｕｅをＰｕｅ'に調整する段階であり、Ｐｕｅ'＝Ｐ１−Ｐｃｅｌｌである。
【手続補正７】
【補正対象書類名】明細書
【補正対象項目名】００１６
【補正方法】変更
【補正の内容】
【００１６】  第４態様に従って、本願発明の一実施形態は、以下の段階を含むアップリンク電力制御方法を提供する。すなわち、基地局によって送信されたＵＥレベルアップリンク電力パラメータをユーザ機器（ＵＥ）によって受信する段階である。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とＵＥが基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。そして、受信された調整済みＵＥレベルアップリンク電力パラメータの値に従って、アップリンク信号をＵＥによって送信する段階である。
【手続補正８】
【補正対象書類名】明細書
【補正対象項目名】００１８
【補正方法】変更
【補正の内容】
【００１８】  第５態様に従って、本願発明の一実施形態は、以下のものを含むアップリンク電力制御装置を提供する。すなわち、第１アクセス数及び第２アクセス数に従って、セルレベルアップリンク電力パラメータが調整されるべきか否かを決定するよう構成された電力パラメータ調整決定モジュールである。第１アクセス数は、基地局のセルのサービスエリア内の複数のユーザ機器（ＵＥ）がランダムアクセスプリアンブルを１回送信することによってセルにアクセスする回数である。第２アクセス数は、セルのサービスエリアの複数のＵＥがランダムアクセスプリアンブルを少なくとも２回送信することによってセルにアクセスする回数である。そして、セルレベルアップリンク電力パラメータを調整することが決定された場合に、セルレベルアップリンク電力パラメータを調整して、調整済みセルレベルアップリンク電力パラメータをセルのサービスエリア内のＵＥに送信するよう構成された電力パラメータ調整モジュールである。これにより、セルのサービスエリア内のＵＥは、調整済みセルレベルアップリンク電力パラメータに従ってアップリンク信号を送信する。
【手続補正９】
【補正対象書類名】明細書
【補正対象項目名】００１９
【補正方法】変更
【補正の内容】
【００１９】  第５態様の第１の可能な実施例では、電力パラメータ調整決定モジュールは、第１アクセス数と第２アクセス数との比に従って、セルレベルアップリンク電力パラメータが調整されるべきか否かを決定するよう特に構成される。第５態様の第１の可能な実装態様に従って、第２の可能な実施例では、電力パラメータ調整決定モジュールは、第１アクセス数（ａ）及び第２アクセス数（ｂ）に従って、ｘ＝ａ／（ａ＋ｂ）である比（ｘ）を計算し、比（ｘ）が予め設定された第１閾値より大きい又はこれと等しい場合に、セルレベルアップリンク電力パラメータが調整されるべきと決定するよう特に構成される。また電力パラメータ調整モジュールは、セルレベルアップリンク電力パラメータの値を減少させるよう特に構成される。第５態様の第２の可能な実装態様に従って、第３の可能な実施例では、電力パラメータ調整モジュールは、セルレベルアップリンク電力パラメータの値を予め設定された第１調整ステップずつ減少させるよう特に構成される。第５態様の第１の可能な実装態様に従って、第４の可能な実施例では、電力パラメータ調整決定モジュールは、第１アクセス数（ａ）及び第２アクセス数（ｂ）に従って、ｙ＝ｂ／（ａ＋ｂ）である比（ｙ）を計算し、比（ｙ）が予め設定された第２閾値より大きい又はこれと等しい場合に、セルレベルアップリンク電力パラメータが調整されるべきと決定するよう特に構成される。また電力パラメータ調整モジュールは、セルレベルアップリンク電力パラメータの値を増加させるよう特に構成される。第５態様の第４の可能な実装態様に従って、第５の可能な実施例では、電力パラメータ調整モジュールは、セルレベルアップリンク電力パラメータの値を予め設定された第２調整ステップずつ増加させるよう特に構成される。
【手続補正１０】
【補正対象書類名】明細書
【補正対象項目名】００２２
【補正方法】変更
【補正の内容】
【００２２】  第７態様に従って、本願発明の一実施形態は、以下のものを含むアップリンク電力制御装置を提供する。すなわち、第１電力とユーザ機器（ＵＥ）がセルにアクセスする前にランダムアクセスプリアンブルを送信する合計回数とに従って、ＵＥレベルアップリンク電力パラメータが調整されるべきか否かを決定するよう構成された電力パラメータ調整決定モジュールである。第１電力は、ＵＥが基地局のセルにアクセスする前に初回のランダムアクセスプリアンブルを送信する際の電力である。そして、ＵＥレベルアップリンク電力パラメータを調整することが決定された場合に、ＵＥレベルアップリンク電力パラメータを調整して、調整済みＵＥレベルアップリンク電力パラメータをＵＥに送信するよう構成された電力パラメータ調整モジュールである。これにより、ＵＥは調整済みＵＥレベルアップリンク電力パラメータに従ってアップリンク信号を送信する。
【手続補正１１】
【補正対象書類名】明細書
【補正対象項目名】００２４
【補正方法】変更
【補正の内容】
【００２４】  第７態様の第１の可能な実装態様に従って、第２の可能な実施例では、電力パラメータ調整決定モジュールは、第２電力（Ｐ１）がセルレベルアップリンク電力パラメータＰｃｅｌｌと等しくない場合に、ＵＥレベルアップリンク電力パラメータが調整されるべきであると決定するよう特に構成される。また電力パラメータ調整モジュールは、ＵＥレベルアップリンク電力パラメータの値ＰｕｅをＰｕｅ'に調整するよう特に構成され、Ｐｕｅ'＝Ｐ１−Ｐｃｅｌｌである。
【手続補正１２】
【補正対象書類名】明細書
【補正対象項目名】００２５
【補正方法】変更
【補正の内容】
【００２５】  第８態様に従って、本願発明の一実施形態は、以下のものを含むアップリンク電力制御装置を提供する。すなわち、基地局によって送信されたＵＥレベルアップリンク電力パラメータを受信するよう構成された電力パラメータ受信モジュールである。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とユーザ機器（ＵＥ）が基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。そして、受信された調整済みＵＥレベルアップリンク電力パラメータの値に従って、アップリンク信号を送信するよう構成されたアップリンク信号送信モジュールである。
【手続補正１３】
【補正対象書類名】明細書
【補正対象項目名】００２７
【補正方法】変更
【補正の内容】
【００２７】  第９態様に従って、本願発明の一実施形態はプロセッサおよび送信機を含むアップリンク電力制御装置を提供する。プロセッサは、第１アクセス数及び第２アクセス数に従って、セルレベルアップリンク電力パラメータが調整されるべきか否かを決定するよう構成される。第１アクセス数は、基地局のセルのサービスエリア内の複数のユーザ機器（ＵＥ）がランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。また送信機は、セルレベルアップリンク電力パラメータを調整することが決定された場合に、セルレベルアップリンク電力パラメータを調整して、調整済みセルレベルアップリンク電力パラメータをセルのサービスエリア内のＵＥに送信するよう構成される。これにより、セルのサービスエリア内のＵＥは、調整済みセルレベルアップリンク電力パラメータに従ってアップリンク信号を送信する。
【手続補正１４】
【補正対象書類名】明細書
【補正対象項目名】００３１
【補正方法】変更
【補正の内容】
【００３１】  第１１形態に従って、本願発明の一実施形態は、プロセッサおよび送信機を含むアップリンク電力制御装置を提供する。プロセッサは、第１電力とユーザ機器（ＵＥ）がセルにアクセスする前にランダムアクセスプリアンブルを送信する合計回数とに従って、ＵＥレベルアップリンク電力パラメータが調整されるべきか否かを決定するよう構成される。第１電力は、ＵＥが基地局のセルにアクセスする前に初回のランダムアクセスプリアンブルを送信する際の電力である。また送信機は、ＵＥレベルアップリンク電力パラメータを調整することが決定された場合に、ＵＥレベルアップリンク電力パラメータを調整して、調整済みＵＥレベルアップリンク電力パラメータをＵＥに送信するよう構成される。これにより、ＵＥは調整済みＵＥレベルアップリンク電力パラメータに従って、アップリンク信号を送信する。
【手続補正１５】
【補正対象書類名】明細書
【補正対象項目名】００３３
【補正方法】変更
【補正の内容】
【００３３】  第１１形態の第１の可能な実装態様に従って、第２の可能な実施例では、プロセッサは、第２電力（Ｐ１）がセルレベルアップリンク電力パラメータＰｃｅｌｌと等しくない場合に、ＵＥレベルアップリンク電力パラメータが調整されるべきであると決定するよう特に構成される。また送信機は、ＵＥレベルアップリンク電力パラメータの値ＰｕｅをＰｕｅ'に調整するよう特に構成され、Ｐｕｅ'＝Ｐ１−Ｐｃｅｌｌである。
【手続補正１６】
【補正対象書類名】明細書
【補正対象項目名】００３４
【補正方法】変更
【補正の内容】
【００３４】  第１２態様に従って、本願発明の一実施形態は、受信機及び送信機を含むアップリンク電力制御装置を提供する。受信機は、基地局によって送信されたＵＥレベルアップリンク電力パラメータを受信するよう構成される。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とユーザ機器（ＵＥ）が基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。また送信機は、受信された調整済みＵＥレベルアップリンク電力パラメータに従って、アップリンク信号を送信するよう構成される。
【手続補正１７】
【補正対象書類名】明細書
【補正対象項目名】００５０
【補正方法】変更
【補正の内容】
【００５０】  １１０．基地局は、第１アクセス数及び第２アクセス数に従って、セルレベルアップリンク電力パラメータを調整するか否かを決定する。第１アクセス数は、基地局のセルのサービスエリア内の複数のユーザ機器（ＵＥ）がランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。
【手続補正１８】
【補正対象書類名】明細書
【補正対象項目名】００７３
【補正方法】変更
【補正の内容】
【００７３】  ３１０．セルのサービスエリア内のユーザ機器（ＵＥ）は、基地局によって送信されたセルレベルアップリンク電力パラメータを受信する。セルレベルアップリンク電力パラメータは、基地局がセルレベルアップリンク電力パラメータを調整すると決定した場合に、セルのサービスエリア内のＵＥに送信される調整済みセルレベルアップリンク電力パラメータである。基地局は、第１アクセス数及び第２アクセス数に従って、セルレベルアップリンク電力パラメータを調整するか否かを決定する。第１アクセス数は、セルのサービスエリア内の複数のＵＥがランダムアクセスプリアンブルを１回送信することによってセルにアクセスする回数である。第２アクセス数は、セルのサービスエリア内の複数のＵＥがランダムアクセスプリアンブルを少なくとも２回送信することによってセルにアクセスする回数である。
【手続補正１９】
【補正対象書類名】明細書
【補正対象項目名】００７８
【補正方法】変更
【補正の内容】
【００７８】  ４１０．基地局は、第１電力とユーザ機器（ＵＥ）がセルにアクセスする前にランダムアクセスプリアンブルを送信する合計回数とに従って、ＵＥレベルアップリンク電力パラメータを調整するか否かを決定する。第１電力は、ＵＥが基地局のセルにアクセスする前に初回のランダムアクセスプリアンブルを送信する際の電力である。
【手続補正２０】
【補正対象書類名】明細書
【補正対象項目名】００７９
【補正方法】変更
【補正の内容】
【００７９】  第１電力とＵＥがセルにアクセスする前にランダムアクセスプリアンブルを送信する合計回数とは、ＵＥがセルにアクセスした後に、ＵＥによって基地局に報告されるデータなので、基地局は、ＵＥが信号対干渉雑音比を報告するのを待つ必要はなく、第１電力とユーザ機器（ＵＥ）がセルにアクセスする前にランダムアクセスプリアンブルを送信する合計回数とに従って、ＵＥレベルアップリンク電力パラメータを調整するか否かを決定する。従って、測定リソースが節約される。更に、調整は、ＵＥがセルにアクセスした後に、アップリンク電力パラメータに対して実行され得て、従って、リアルタイムの調整がＵＥレベルアップリンク電力パラメータに対して実行され得る。
【手続補正２１】
【補正対象書類名】明細書
【補正対象項目名】００８１
【補正方法】変更
【補正の内容】
【００８１】  具体的には、基地局は、第１電力とユーザ機器（ＵＥ）がセルにアクセスする前にランダムアクセスプリアンブルを送信する合計回数とに従って、ＵＥレベルアップリンク電力パラメータを調整するか否かを決定し、ＵＥレベルアップリンク電力パラメータを調整すると決定した場合に、基地局は、ＵＥレベルアップリンク電力パラメータを調整して、調整済みＵＥレベルアップリンク電力パラメータをＵＥに送信する。これにより、ＵＥは、調整済みＵＥレベルアップリンク電力パラメータに従って、アップリンク信号を送信する。
【手続補正２２】
【補正対象書類名】明細書
【補正対象項目名】００８２
【補正方法】変更
【補正の内容】
【００８２】  この実施形態において提供されるアップリンク電力制御方法によると、基地局は、第１電力とユーザ機器（ＵＥ）がセルにアクセスする前にランダムアクセスプリアンブルを送信する合計回数とに従って、ＵＥレベルアップリンク電力パラメータを調整するか否かを決定する。ＵＥレベルアップリンク電力パラメータを調整すると決定した場合に、基地局は、ＵＥレベルアップリンク電力パラメータを調整して、調整済みＵＥレベルアップリンク電力パラメータをＵＥに送信する。これにより、ＵＥは、調整済みＵＥレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約し、ＵＥレベルアップリンク電力パラメータのリアルタイムの調整を実施する。
【手続補正２３】
【補正対象書類名】明細書
【補正対象項目名】００９３
【補正方法】変更
【補正の内容】
【００９３】  ６１０．ユーザ機器（ＵＥ）は、基地局によって送信されたＵＥレベルアップリンク電力パラメータを受信する。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とＵＥが基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。
【手続補正２４】
【補正対象書類名】明細書
【補正対象項目名】００９７
【補正方法】変更
【補正の内容】
【００９７】  この実施形態において提供されるアップリンク電力制御方法によると、ＵＥは、基地局によって送信された調整済みＵＥレベルアップリンク電力パラメータを受信して、受信された調整済みＵＥレベルアップリンク電力パラメータに従って、アップリンク信号を送信する。従って、基地局が、測定結果に従ってセルレベルアップリンク電力パラメータを調整することによってもたらされた、従来技術におけるリソース消費問題は解決され、それにより、測定リソースを節約する。
【手続補正２５】
【補正対象書類名】明細書
【補正対象項目名】００９９
【補正方法】変更
【補正の内容】
【００９９】  電力パラメータ調整決定モジュール７１０は、第１アクセス数及び第２アクセス数に従って、セルレベルアップリンク電力パラメータが調整されるべきか否かを決定するよう構成される。第１アクセス数は、基地局のセルのサービスエリア内の複数のユーザ機器（ＵＥ）が、ランダムアクセスプリアンブルを１回送信することによってセルにアクセスする回数である。第２アクセス数は、セルのサービスエリア内の複数のＵＥが、ランダムアクセスプリアンブルを少なくとも２回送信することによってセルにアクセスする回数である。また電力パラメータ調整モジュール７２０は、セルレベルアップリンク電力パラメータを調整することが決定された場合に、セルレベルアップリンク電力パラメータを調整して、セルのサービスエリア内のＵＥに調整済みセルレベルアップリンク電力パラメータを送信するよう構成される。これにより、セルのサービスエリア内のＵＥは、調整済みセルレベルアップリンク電力パラメータに従って、アップリンク信号を送信する。
【手続補正２６】
【補正対象書類名】明細書
【補正対象項目名】０１０３
【補正方法】変更
【補正の内容】
【０１０３】  さらに、電力パラメータ調整決定モジュール７１０は、第１アクセス数（ａ）及び第２アクセス数（ｂ）に従って、ｙ＝ｂ／（ａ＋ｂ）である比（ｙ）を計算して、比（ｙ）が予め設定された第２閾値より大きい又はこれと等しい場合に、セルレベルアップリンク電力パラメータが調整されるべきと決定するよう特に構成される。また電力パラメータ調整モジュール７２０は、セルレベルアップリンク電力パラメータの値を増加させるようさらに特に構成される。
【手続補正２７】
【補正対象書類名】明細書
【補正対象項目名】０１０４
【補正方法】変更
【補正の内容】
【０１０４】  さらに、電力パラメータ調整モジュール７２０は、セルレベルアップリンク電力パラメータの値を予め設定された第２調整ステップずつ増加させるよう特に構成される。
【手続補正２８】
【補正対象書類名】明細書
【補正対象項目名】０１１０
【補正方法】変更
【補正の内容】
【０１１０】  図７を参照すると、この実施形態において提供されるアップリンク電力制御装置の概略構造図は、図７と同じである。この実施形態では、電力パラメータ調整決定モジュールは、第１電力とユーザ機器（ＵＥ）がセルにアクセスする前にランダムアクセスプリアンブルを送信する合計回数とに従って、ＵＥレベルアップリンク電力パラメータが調整されるべきか否かを決定するよう構成される。第１電力は、ＵＥが基地局のセルにアクセスする前に初回のランダムアクセスプリアンブルを送信する際の電力である。また電力パラメータ調整モジュールは、ＵＥレベルアップリンク電力パラメータを調整することが決定された場合に、ＵＥレベルアップリンク電力パラメータを調整して、調整済みＵＥレベルアップリンク電力パラメータをＵＥに送信するよう構成される。これにより、ＵＥは、調整済みＵＥレベルアップリンク電力パラメータに従って、アップリンク信号を送信する。
【手続補正２９】
【補正対象書類名】明細書
【補正対象項目名】０１１３
【補正方法】変更
【補正の内容】
【０１１３】  この実施形態において提供されるアップリンク電力制御装置によると、第１電力とユーザ機器（ＵＥ）がセルにアクセスする前にランダムアクセスプリアンブルを送信する合計回数とに従って、ＵＥレベルアップリンク電力パラメータを調整するか否かが決定される。ＵＥレベルアップリンク電力パラメータを調整することが決定された場合に、ＵＥレベルアップリンク電力パラメータは調整され、調整済みＵＥレベルアップリンク電力パラメータがＵＥに送信される。これにより、ＵＥは、調整済みＵＥレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約し、ＵＥレベルアップリンク電力パラメータのリアルタイムの調整を実施する。
【手続補正３０】
【補正対象書類名】明細書
【補正対象項目名】０１１４
【補正方法】変更
【補正の内容】
【０１１４】  図８を参照すると、この実施形態において提供されるアップリンク電力制御装置の概略構造図は図８と同じである。この実施形態では、電力パラメータ受信モジュールは、基地局によって送信されたＵＥレベルアップリンク電力パラメータを受信するよう構成される。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とユーザ機器（ＵＥ）が基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。またアップリンク信号送信モジュールは、受信された調整済みＵＥレベルアップリンク電力パラメータに従って、アップリンク信号を送信するよう構成される。
【手続補正３１】
【補正対象書類名】明細書
【補正対象項目名】０１１８
【補正方法】変更
【補正の内容】
【０１１８】  プロセッサ９１０は、第１アクセス数及び第２アクセス数に従って、セルレベルアップリンク電力パラメータが調整されるべきか否かを決定するよう構成される。第１アクセス数は、基地局のセルのサービスエリア内の複数のユーザ機器（ＵＥ）が、ランダムアクセスプリアンブルを１回送信することによってセルにアクセスする回数である。第２アクセス数は、セルのサービスエリア内の複数のＵＥが、ランダムアクセスプリアンブルを少なくとも２回送信することによってセルにアクセスする回数である。また送信機９２０は、セルレベルアップリンク電力パラメータを調整することが決定された場合に、セルレベルアップリンク電力パラメータを調整して、セルのサービスエリア内のＵＥに調整済みセルレベルアップリンク電力パラメータを送信するよう構成される。これにより、セルのサービスエリア内のＵＥは、調整済みセルレベルアップリンク電力パラメータに従って、アップリンク信号を送信する。
【手続補正３２】
【補正対象書類名】明細書
【補正対象項目名】０１２９
【補正方法】変更
【補正の内容】
【０１２９】  図９を参照すると、この実施形態において提供されるアップリンク電力制御装置の概略構造図は図９と同じである。この実施形態では、プロセッサは、第１電力とユーザ機器（ＵＥ）がセルにアクセスする前にランダムアクセスプリアンブルを送信する合計回数とに従って、ＵＥレベルアップリンク電力パラメータが調整されるべきか否かを決定するよう構成される。第１電力は、ＵＥが基地局のセルにアクセスする前に初回のランダムアクセスプリアンブルを送信する際の電力である。また送信機は、ＵＥレベルアップリンク電力パラメータを調整することが決定された場合に、ＵＥレベルアップリンク電力パラメータを調整して、調整済みＵＥレベルアップリンク電力パラメータをＵＥに送信するよう構成される。これにより、ＵＥは、調整済みＵＥレベルアップリンク電力パラメータに従って、アップリンク信号を送信する。
【手続補正３３】
【補正対象書類名】明細書
【補正対象項目名】０１３２
【補正方法】変更
【補正の内容】
【０１３２】  この実施形態において提供されるアップリンク電力制御装置によると、第１電力とユーザ機器（ＵＥ）がセルにアクセスする前にランダムアクセスプリアンブルを送信する合計回数とに従って、ＵＥレベルアップリンク電力パラメータを調整するか否かが決定される。ＵＥレベルアップリンク電力パラメータを調整することが決定された場合に、ＵＥレベルアップリンク電力パラメータは調整され、調整済みＵＥレベルアップリンク電力パラメータがＵＥに送信される。これにより、ＵＥは、調整済みＵＥレベルアップリンク電力パラメータに従って、アップリンク信号を送信する。従って、セルレベルアップリンク電力パラメータを調整すべく、ＵＥの信号送信電力を絶えず測定することによってもたらされた、従来技術におけるリソース消費問題は解決され、それにより、測定リソースを節約し、ＵＥレベルアップリンク電力パラメータのリアルタイムの調整を実施する。
【手続補正３４】
【補正対象書類名】明細書
【補正対象項目名】０１３３
【補正方法】変更
【補正の内容】
【０１３３】  図１０を参照すると、この実施形態において提供されるアップリンク電力制御装置の概略構造図は図１０と同じである。この実施形態では、受信機は、基地局によって送信されたＵＥレベルアップリンク電力パラメータを受信するよう構成される。ＵＥレベルアップリンク電力パラメータは、基地局がＵＥレベルアップリンク電力パラメータを調整すると決定した場合に、ＵＥに送信される調整済みＵＥレベルアップリンク電力パラメータである。基地局は、第１電力とユーザ機器（ＵＥ）が基地局のセルにアクセスする前にランダムアクセスプリアンブルを送信する合計回数とに従って、ＵＥレベル電力パラメータを調整するか否かを決定する。第１電力は、ＵＥがセルにアクセスする前に初回のランダムアクセスプリアンブルを送信する際の電力である。また送信機は、受信された調整済みＵＥレベルアップリンク電力パラメータに従って、アップリンク信号を送信するよう構成される。
【手続補正３５】
【補正対象書類名】明細書
【補正対象項目名】０１３７
【補正方法】変更
【補正の内容】
【０１３７】  最後に、先述の複数の実施形態は、単に本願発明の複数の技術的解決法の説明を意図するものであり、本願発明の制限を意図するものではないことが留意されるべきである。本願発明は、先述の複数の実施形態を参照して詳細に説明されているが、当業者はそれでも、先述の複数の実施形態において説明された複数の技術的解決法に対する複数の変更例、又はこれらの技術的特徴の一部又は全てに対する等価な置換例を、本願発明の複数の実施形態の複数の技術的解決法の範囲から逸脱することなく作成し得ることを、当業者は理解すべきである。（項目１）  アップリンク電力制御方法であって、  第１アクセス数及び第２アクセス数に従って、基地局によって、セルレベルアップリンク電力パラメータを調整するか否かを決定する段階であって、  上記第１アクセス数は、上記基地局のセルのサービスエリア内の複数のユーザ機器ＵＥがランダムアクセスプリアンブルを１回送信することによって上記セルにアクセスする回数であり、上記第２アクセス数は、上記セルの上記サービスエリア内の上記複数のＵＥがランダムアクセスプリアンブルを少なくとも２回送信することによって上記セルにアクセスする回数である、決定する段階と、  上記セルレベルアップリンク電力パラメータを調整すると決定した場合に、上記基地局によって、上記セルレベルアップリンク電力パラメータを調整して、調整済みセルレベルアップリンク電力パラメータを上記セルの上記サービスエリア内のＵＥに送信する段階であって、これにより、上記セルの上記サービスエリア内の上記ＵＥは、上記調整済みセルレベルアップリンク電力パラメータに従ってアップリンク信号を送信する、送信する段階とを、  備える、  方法。（項目２）  第１アクセス数及び第２アクセス数に従って、基地局によって、セルレベルアップリンク電力パラメータを調整するか否かを決定する上記段階は、  上記第１アクセス数と上記第２アクセス数との比に従って、上記基地局によって、上記セルレベルアップリンク電力パラメータを調整するか否かを決定する段階を有する、  項目１に記載の方法。（項目３）  上記第１アクセス数と上記第２アクセス数との比に従って、上記基地局によって、上記セルレベルアップリンク電力パラメータを調整するか否かを決定する上記段階は、  上記基地局によって、上記第１アクセス数（ａ）及び上記第２アクセス数（ｂ）に従って、ｘ＝ａ／（ａ＋ｂ）である上記比（ｘ）を計算する段階と、  上記比（ｘ）が予め設定された第１閾値より大きい又はこれと等しい場合に、上記基地局によって上記セルレベルアップリンク電力パラメータを調整すると決定する段階とを  有し、  上記基地局によって上記セルレベルアップリンク電力パラメータを調整する上記段階は、  上記基地局によって上記セルレベルアップリンク電力パラメータの値を減少させる段階を有する、  項目２に記載の方法。（項目４）  上記基地局によって上記セルレベルアップリンク電力パラメータの値を減少させる上記段階は、  上記基地局によって、上記セルレベルアップリンク電力パラメータの上記値を予め設定された第１調整ステップずつ減少させる段階を有する、  項目３に記載の方法。（項目５）  上記第１アクセス数と上記第２アクセス数との比に従って、上記基地局によって、上記セルレベルアップリンク電力パラメータを調整するか否かを決定する上記段階は、  上記基地局によって、上記第１アクセス数（ａ）及び上記第２アクセス数（ｂ）に従って、ｙ＝ｂ／（ａ＋ｂ）である上記比（ｙ）を計算する段階と、  上記比（ｙ）が予め設定された第２閾値より大きい又はこれと等しい場合に、上記基地局によって上記セルレベルアップリンク電力パラメータを調整すると決定する段階とを、  有し、  上記基地局によって上記セルレベルアップリンク電力パラメータを調整する上記段階は、  上記基地局によって上記セルレベルアップリンク電力パラメータの値を増加させる段階を有する、  項目２に記載の方法。（項目６）  上記基地局によって、上記セルレベルアップリンク電力パラメータの値を増加させる上記段階は、  上記基地局によって、上記セルレベルアップリンク電力パラメータの上記値を予め設定された第２調整ステップずつ増加させる段階を有する、  項目５に記載の方法。（項目７）  アップリンク電力制御方法であって、  基地局によって送信されたセルレベルアップリンク電力パラメータをユーザ機器ＵＥによって受信する段階と、  上記ＵＥによって、受信された調整済みセルレベルアップリンク電力パラメータの値に従って、アップリンク信号を送信する段階とを、  備え、  上記セルレベルアップリンク電力パラメータは、上記基地局がセルレベルアップリンク電力パラメータを調整すると決定した場合に、セルのサービスエリア内の上記ＵＥに送信される上記調整済みセルレベルアップリンク電力パラメータであり、  上記基地局は、第１アクセス数及び第２アクセス数に従って、上記セルレベルアップリンク電力パラメータを調整するか否かを決定し、  上記第１アクセス数は、上記セルの上記サービスエリア内の複数のＵＥがランダムアクセスプリアンブルを１回送信することによって上記セルにアクセスする回数であり、上記第２アクセス数は、上記セルの上記サービスエリア内の上記複数のＵＥがランダムアクセスプリアンブルを少なくとも２回送信することによって上記セルにアクセスする回数である、  方法。（項目８）  上記ＵＥによって、受信された上記調整済みセルレベルアップリンク電力パラメータの値に従って、アップリンク信号を送信する上記段階は、  上記ＵＥによって、受信された上記調整済みセルレベルアップリンク電力パラメータの上記値を、上記アップリンク信号を送信するための電力として用いて、上記アップリンク信号を上記電力で送信する段階を有する、  項目７に記載の方法。（項目９）  アップリンク電力制御方法であって、  第１電力と、ユーザ機器ＵＥがセルにアクセスする前にランダムアクセスプリアンブルを送信する合計回数とに従って、基地局によって、ＵＥレベルアップリンク電力パラメータを調整するか否かを決定する段階であって、上記第１電力は、上記ＵＥが上記基地局の上記セルにアクセスする前に初回のランダムアクセスプリアンブルを送信する際の電力である、決定する段階と、  上記ＵＥレベルアップリンク電力パラメータを調整すると決定した場合、上記基地局によって、上記ＵＥレベルアップリンク電力パラメータを調整して、調整済みＵＥレベルアップリ��ク電力パラメータを上記ＵＥに送信する段階であって、これにより、上記ＵＥは上記調整済みＵＥレベルアップリンク電力パラメータに従ってアップリンク信号を送信する、送信する段階とを、  備える方法。（項目１０）  第１電力と、ユーザ機器ＵＥがセルにアクセスする前にランダムアクセスプリアンブルを送信する合計回数とに従って、基地局によって、ＵＥレベルアップリンク電力パラメータを調整するか否かを決定する上記段階は、  上記基地局によって、上記第１電力（Ｐ０）と、上記ＵＥが上記セルにアクセスする前に上記ランダムアクセスプリアンブルを送信する上記合計回数（ｎ）とに従って、第２電力（Ｐ１）を計算する段階と、  上記第２電力（Ｐ１）に従って上記基地局によって、上記ＵＥレベルアップリンク電力パラメータを調整するか否かを決定する段階とを、  有し、  Ｐ１＝Ｐ０＋（ｎ−１）×Ｓであり、Ｓは予め設定された調整ステップであり、上記第２電力（Ｐ１）は上記ＵＥが上記セルにアクセスする前に最後のランダムアクセスプリアンブルを送信する際の電力である、  項目９に記載の方法。（項目１１）  上記第２電力（Ｐ１）に従って、上記基地局によって、上記ＵＥレベルアップリンク電力パラメータを調整するか否かを決定する上記段階は、  上記第２電力（Ｐ１）がセルレベルアップリンク電力パラメータＰｃｅｌｌと等しくない場合に、上記基地局によって上記ＵＥレベルアップリンク電力パラメータを調整すると決定する段階を有し、  上記基地局によって、上記ＵＥレベルアップリンク電力パラメータを調整する上記段階は、  上記基地局によって上記ＵＥレベルアップリンク電力パラメータの値ＰｕｅをＰｕｅ'に調整する段階を有し、Ｐｕｅ'＝Ｐ１−Ｐｃｅｌｌである、  項目１０に記載の方法。（項目１２）  アップリンク電力制御方法であって、  ユーザ機器ＵＥによって基地局により送信された、ＵＥレベルアップリンク電力パラメータを受信する段階と、  上記ＵＥによって、受信された調整済みＵＥレベルアップリンク電力パラメータの値に従って、アップリンク信号を送信する段階とを、  備え、  上記ＵＥレベルアップリンク電力パラメータは、上記基地局がＵＥレベルアップリンク電力パラメータを調整すると決定した場合に、上記ＵＥに送信される上記調整済みＵＥレベルアップリンク電力パラメータであり、  第１電力と、上記ＵＥが上記基地局のセルにアクセスする前にランダムアクセスプリアンブルを送信する合計回数とに従って、上記基地局は上記ＵＥレベル電力パラメータを調整するか否かを決定し、  上記第１電力は、上記ＵＥが上記セルにアクセスする前に初回のランダムアクセスプリアンブルを送信する際の電力である、  方法。（項目１３）  上記ＵＥによって、受信された上記調整済みＵＥレベルアップリンク電力パラメータの値に従って、アップリンク信号を送信する上記段階は、  上記ＵＥによって、受信された上記調整済みＵＥレベルアップリンク電力パラメータの上記値と、受信されたセルレベルアップリンク電力パラメータの値との合計を、上記アップリンク信号を送信するための電力として用いて上記アップリンク信号を上記電力で送信する段階を有する、  項目１２に記載の方法。（項目１４）  アップリンク電力制御装置���あって、  第１アクセス数及び第２アクセス数に従って、セルレベルアップリンク電力パラメータが調整されるべきか否かを決定するよう構成された電力パラメータ調整決定モジュールであって、上記第１アクセス数は、上記基地局のセルのサービスエリア内の複数のユーザ機器ＵＥがランダムアクセスプリアンブルを１回送信することによって上記セルにアクセスする回数であり、上記第２アクセス数は、上記セルの上記サービスエリア内の上記複数のＵＥがランダムアクセスプリアンブルを少なくとも２回送信することによって上記セルにアクセスする回数である、電力パラメータ調整決定モジュールと、  上記セルレベルアップリンク電力パラメータを調整することが決定された場合に、上記セルレベルアップリンク電力パラメータを調整して、調整済みセルレベルアップリンク電力パラメータを上記セルの上記サービスエリア内のＵＥに送信するよう構成された電力パラメータ調整モジュールであって、これにより、上記セルの上記サービスエリア内の上記ＵＥは、上記調整済みセルレベルアップリンク電力パラメータに従って、アップリンク信号を送信する、電力パラメータ調整モジュールとを、  備える、  装置。（項目１５）  上記電力パラメータ調整決定モジュールは、上記第１アクセス数と上記第２アクセス数との比に従って、上記セルレベルアップリンク電力パラメータが調整されるべきか否かを決定するよう特に構成される、  項目１４に記載の装置。（項目１６）  上記電力パラメータ調整決定モジュールは、上記第１アクセス数（ａ）及び上記第２アクセス数（ｂ）に従って、ｘ＝ａ／（ａ＋ｂ）である上記比（ｘ）を計算し、  上記比（ｘ）が予め設定された第１閾値より大きい又はこれと等しい場合に、上記セルレベルアップリンク電力パラメータが調整されるべきであると決定するよう特に構成され、  上記電力パラメータ調整モジュールは、上記セルレベルアップリンク電力パラメータの値を減少させるよう特に構成される、  項目１５に記載の装置。（項目１７）  上記電力パラメータ調整モジュールは、上記セルレベルアップリンク電力パラメータの上記値を予め設定された第１調整ステップずつ減少させるよう特に構成される、  項目１６に記載の装置。（項目１８）  上記電力パラメータ調整決定モジュールは、上記第１アクセス数（ａ）及び上記第２アクセス数（ｂ）に従って、ｙ＝ｂ／（ａ＋ｂ）である上記比（ｙ）を計算し、  上記比（ｙ）が予め設定された第２閾値より大きい又はこれと等しい場合に、上記セルレベルアップリンク電力パラメータが調整されるべきであると決定するよう特に構成され、  上記基地局調整モジュールは、上記セルレベルアップリンク電力パラメータの値を増加させるよう特に構成される、  項目１５に記載の装置。（項目１９）  上記基地局調整モジュールは、上記セルレベルアップリンク電力パラメータの上記値を予め設定された第２調整ステップずつ増加させるよう特に構成される、  項目１８に記載の装置。（項目２０）  アップリンク電力制御装置であって、  基地局によって送信されたセルレベルアップリンク電力パラメータを受信するよう構成された電力パラメータ受信モジュールと、  受信された調整済みセルレベルアップリンク電力パラメー���の値に従って、アップリンク信号を送信するよう構成されたアップリンク信号送信モジュールとを、  備え、  上記セルレベルアップリンク電力パラメータは、上記基地局がセルレベルアップリンク電力パラメータを調整すると決定した場合に、セルのサービスエリア内のＵＥに送信される上記調整済みセルレベルアップリンク電力パラメータであり、  上記基地局は、第１アクセス数及び第２アクセス数に従って、上記セルレベルアップリンク電力パラメータを調整するか否かを決定し、上記第１アクセス数は、上記基地局の上記セルの上記サービスエリア内の複数のＵＥがランダムアクセスプリアンブルを１回送信することによって上記セルにアクセスする回数であり、上記第２アクセス数は、上記セルの上記サービスエリア内の上記複数のＵＥがランダムアクセスプリアンブルを少なくとも２回送信することによって上記セルにアクセスする回数である、  装置。（項目２１）  上記アップリンク信号送信モジュールは、受信された上記調整済みセルレベルアップリンク電力パラメータの上記値を、上記アップリンク信号を送信するための電力として用いて上記アップリンク信号を上記電力で送信するよう特に構成される、  項目２０に記載の装置。（項目２２）  アップリンク電力制御装置であって、  第１電力と、ユーザ機器ＵＥがセルにアクセスする前にランダムアクセスプリアンブルを送信する合計回数とに従って、ＵＥレベルアップリンク電力パラメータが調整されるべきか否かを決定するよう構成された電力パラメータ調整決定モジュールであって、上記第１電力は、上記ＵＥが上記基地局の上記セルにアクセスする前に初回のランダムアクセスプリアンブルを送信する際の電力である、電力パラメータ調整決定モジュールと、  上記ＵＥレベルアップリンク電力パラメータを調整することが決定された場合に、上記ＵＥレベルアップリンク電力パラメータを調整して、調整済みＵＥレベルアップリンク電力パラメータを上記ＵＥに送信するよう構成された電力パラメータ調整モジュールであって、これにより、上記ＵＥは上記調整済みＵＥレベルアップリンク電力パラメータに従って、アップリンク信号を送信する、電力パラメータ調整モジュールとを、  備える、  装置。（項目２３）  上記電力パラメータ調整決定モジュールは、  上記第１電力（Ｐ０）と、上記ＵＥが上記セルにアクセスする前に上記ランダムアクセスプリアンブルを送信する上記合計回数（ｎ）とに従って、第２電力（Ｐ１）を計算し、  上記第２電力（Ｐ１）に従って、上記ＵＥレベルアップリンク電力パラメータが調整されるべきか否かを決定するよう特に構成され、  Ｐ１＝Ｐ０＋（ｎ−１）×Ｓであり、Ｓは予め設定された調整ステップであり、上記第２電力（Ｐ１）は上記ＵＥが上記セルにアクセスする前に最後のランダムアクセスプリアンブルを送信する際の電力である、  項目２２に記載の装置。（項目２４）  上記電力パラメータ調整決定モジュールは、上記第２電力（Ｐ１）がセルレベルアップリンク電力パラメータＰｃｅｌｌと等しくない場合に、上記基地局によって上記ＵＥレベルアップリンク電力パラメータが調整されるべきであると決定するよう特に構成され、  上記電力パラメータ調整モジュールは、上記ＵＥレベル��ップリンク電力パラメータの値ＰｕｅをＰｕｅ'に調整するよう特に構成され、Ｐｕｅ'＝Ｐ１−Ｐｃｅｌｌである、  項目２３に記載の装置。（項目２５）  アップリンク電力制御装置であって、  基地局によって送信されたＵＥレベルアップリンク電力パラメータを受信するよう構成された電力パラメータ受信モジュールと、  受信された調整済みＵＥレベルアップリンク電力パラメータの値に従って、アップリンク信号を送信するよう構成されたアップリンク信号送信モジュールとを、  備え、  上記ＵＥレベルアップリンク電力パラメータは、上記基地局がＵＥレベルアップリンク電力パラメータを調整すると決定した場合に、上記ＵＥに送信される上記調整済みＵＥレベルアップリンク電力パラメータであり、  第１電力と、ユーザ機器ＵＥが上記基地局のセルにアクセスする前にランダムアクセスプリアンブルを送信する合計回数とに従って、上記基地局は上記ＵＥレベル電力パラメータを調整するか否かを決定し、  上記第１電力は、上記ＵＥが上記セルにアクセスする前に初回のランダムアクセスプリアンブルを送信する際の電力である、  装置。（項目２６）  上記アップリンク信号送信モジュールは、受信された上記調整済みＵＥレベルアップリンク電力パラメータの上記値と、受信されたセルレベルアップリンク電力パラメータの値との合計を、上記アップリンク信号を送信するための電力として用いて上記アップリンク信号を上記電力で送信するよう特に構成される、  項目２５に記載の装置。（項目２７）  プロセッサおよび送信機を備えるアップリンク電力制御装置であって、  上記プロセッサは、第１アクセス数及び第２アクセス数に従って、セルレベルアップリンク電力パラメータが調整されるべきか否かを決定するよう構成され、  上記第１アクセス数は、上記基地局のセルのサービスエリア内の複数のユーザ機器ＵＥがランダムアクセスプリアンブルを１回送信することによって上記セルにアクセスする回数であり、上記第２アクセス数は、上記セルの上記サービスエリア内の上記複数のＵＥがランダムアクセスプリアンブルを少なくとも２回送信することによって上記セルにアクセスする回数であり、  上記送信機は、上記セルレベルアップリンク電力パラメータを調整することが決定された場合に、上記セルレベルアップリンク電力パラメータを調整して、調整済みセルレベルアップリンク電力パラメータを上記セルの上記サービスエリア内のＵＥに送信するよう構成され、これにより、上記セルの上記サービスエリア内の上記ＵＥは、上記調整済みセルレベルアップリンク電力パラメータに従って、アップリンク信号を送信する、  装置。（項目２８）  上記プロセッサは、上記第１アクセス数と上記第２アクセス数との比に従って、上記セルレベルアップリンク電力パラメータが調整されるべきか否かを決定するよう特に構成される、  項目２７に記載の装置。（項目２９）  上記プロセッサは、上記第１アクセス数（ａ）及び上記第２アクセス数（ｂ）に従って、ｘ＝ａ／（ａ＋ｂ）である上記比（ｘ）を計算し、  上記比（ｘ）が予め設定された第１閾値より大きい又はこれと等しい場合に、上記セルレベルアップリンク電力パラメータが調整されるべきであると決定するよう特に構成され、  上記送信機は、上記セルレベルアップリンク電力パラメータの値を減少させるよう特に構成される、  項目２８に記載の装置。（項目３０）  上記送信機は、上記セルレベルアップリンク電力パラメータの上記値を予め設定された第１調整ステップずつ減少させるよう特に構成される、  項目２９に記載の装置。（項目３１）  上記プロセッサは、上記第１アクセス数（ａ）及び上記第２アクセス数（ｂ）に従って、ｙ＝ｂ／（ａ＋ｂ）である上記比（ｙ）を計算し、  上記比（ｙ）が予め設定された第２閾値より大きい又はこれと等しい場合に、上記セルレベルアップリンク電力パラメータが調整されるべきであると決定するよう特に構成され、  上記送信機は、上記セルレベルアップリンク電力パラメータの値を増加させるよう特に構成される、  項目２８に記載の装置。（項目３２）  上記送信機は、上記セルレベルアップリンク電力パラメータの上記値を予め設定された第２調整ステップずつ増加させるよう特に構成される、  項目３１に記載の装置。（項目３３）  受信機及び送信機を備えるアップリンク電力制御装置であって、  上記受信機は、基地局によって送信されたセルレベルアップリンク電力パラメータを受信するよう構成され、  上記セルレベルアップリンク電力パラメータは、上記基地局がセルレベルアップリンク電力パラメータを調整すると決定した場合に、セルのサービスエリア内のＵＥに送信される調整済みセルレベルアップリンク電力パラメータであり、  上記基地局は、第１アクセス数及び第２アクセス数に従って、上記セルレベルアップリンク電力パラメータを調整するか否かを決定し、上記第１アクセス数は、上記基地局の上記セルの上記サービスエリア内の複数のＵＥがランダムアクセスプリアンブルを１回送信することによって上記セルにアクセスする回数であり、上記第２アクセス数は、上記セルの上記サービスエリア内の上記複数のＵＥがランダムアクセスプリアンブルを少なくとも２回送信することによって上記セルにアクセスする回数であり、  上記送信機は、受信された上記調整済みセルレベルアップリンク電力パラメータの値に従って、アップリンク信号を送信するよう構成される、  装置。（項目３４）  上記送信機は、受信された上記調整済みセルレベルアップリンク電力パラメータの上記値を、上記アップリンク信号を送信するための電力として用いて上記アップリンク信号を上記電力で送信するよう特に構成される、  項目３３に記載の装置。（項目３５）  プロセッサおよび送信機を備えるアップリンク電力制御装置であって、  上記プロセッサは、第１電力と、ユーザ機器ＵＥがセルにアクセスする前にランダムアクセスプリアンブルを送信する合計回数とに従って、ＵＥレベルアップリンク電力パラメータが調整されるべきか否かを決定するよう構成され、  上記第１電力は、上記ＵＥが上記基地局の上記セルにアクセスする前に初回のランダムアクセスプリアンブルを送信する際の電力であり、  上記送信機は、上記ＵＥレベルアップリンク電力パラメータを調整することが決定された場合に、上記ＵＥレベルアップリンク電力パラメータを調整して、調整済みＵＥレベルアップリンク電力パラメータを上記ＵＥに送信するよう構成され、これにより、上記ＵＥは上記調整済みＵＥレベルアップリンク電力パラメータに従って、アップリンク信号を送信する、  装置。（項目３６）  上記プロセッサは、  上記第１電力（Ｐ０）と、上記ＵＥが上記セルにアクセスする前に上記ランダムアクセスプリアンブルを送信する上記合計回数（ｎ）とに従って、第２電力（Ｐ１）を計算し、  上記第２電力（Ｐ１）に従って、上記ＵＥレベルアップリンク電力パラメータが調整されるべきか否かを決定するよう特に構成され、  Ｐ１＝Ｐ０＋（ｎ−１）×Ｓであり、Ｓは予め設定された調整ステップであり、上記第２電力（Ｐ１）は上記ＵＥが上記セルにアクセスする前に最後のランダムアクセスプリアンブルを送信する際の電力である、  項目３５に記載の装置。（項目３７）  上記プロセッサは、上記第２電力（Ｐ１）がセルレベルアップリンク電力パラメータＰｃｅｌｌと等しくない場合に、上記基地局によって上記ＵＥレベルアップリンク電力パラメータが調整されるべきであると決定するよう特に構成され、  上記送信機は、上記ＵＥレベルアップリンク電力パラメータの値ＰｕｅをＰｕｅ'に調整するよう特に構成され、Ｐｕｅ'＝Ｐ１−Ｐｃｅｌｌである、  項目３６に記載の装置。（項目３８）  受信機及び送信機を備えるアップリンク電力制御装置であって、  上記受信機は、基地局によって送信されたＵＥレベルアップリンク電力パラメータを受信するよう構成され、  上記ＵＥレベルアップリンク電力パラメータは、上記基地局がＵＥレベルアップリンク電力パラメータを調整すると決定した場合に、上記ＵＥに送信される調整済みＵＥレベルアップリンク電力パラメータであり、  第１電力と、ユーザ機器である上記ＵＥが上記基地局のセルにアクセスする前にランダムアクセスプリアンブルを送信する合計回数とに従って、上記基地局は上記ＵＥレベル電力パラメータを調整するか否かを決定し、  上記第１電力は、上記ＵＥが上記セルにアクセスする前に初回のランダムアクセスプリアンブルを送信する際の電力であり、  上記送信機は、受信された上記調整済みＵＥレベルアップリンク電力パラメータの値に従って、アップリンク信号を送信するよう構成される、  装置。（項目３９）  上記送信機は、受信された上記調整済みＵＥレベルアップリンク電力パラメータの上記値と、受信されたセルレベルアップリンク電力パラメータの値との合計を、上記アップリンク信号を送信するための電力として用いて上記アップリンク信号を上記電力で送信するよう特に構成される、  項目３８に記載の装置。
【手続補正３６】
【補正対象書類名】図面
【補正対象項目名】図５
【補正方法】変更
【補正の内容】
【図５】
2016538764.tif 000013
【手続補正３７】
【補正対象書類名】図面
【補正対象項目名】図６
【補正方法】変更
【補正の内容】
【図６】
2016538764.tif 000014
【国際調査報告】
2016538764.tif 000015
2016538764.tif 000016
2016538764.tif 000017
2016538764.tif 000018